(57)【特許請求の範囲】
【請求項１】
ＵＥ（Ｕｓｅｒ  Ｅｑｕｉｐｍｅｎｔ）が、バッファ状態報告トリガー条件を満たすかを判断することと、
前記ＵＥが前記バッファ状態報告トリガー条件を満たすのであれば、前記ＵＥが、バッファ状態情報をネットワーク側機器に報告することと、
ここで、パケット複製モードの設定／活性化が行われた同一ベアラに対応する複数の論理チャネルのバッファ状態情報は、それぞれ独自に報告され、
を含むバッファ状態報告方法。
【請求項２】
前記ＵＥがバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記ＵＥが、前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記ＵＥが、前記バッファ状態報告トリガー条件を満たすと特定することを含む請求項１に記載の方法。
【請求項３】
前記ＵＥがバッファ状態情報をネットワーク側機器に報告することは、
前記ＵＥが、前記ＵＥに対応するバッファ状態報告要のすべてのベアラのバッファ状態情報を第１ＢＳＲ  ＭＡＣ  ＣＥ（Ｂｕｆｆｅｒ  Ｓｔａｔｅ  Ｒｅｐｏｒｔ  Ｍｅｄｉａ  Ａｃｃｅｓｓ  Ｃｏｎｔｒｏｌ  Ｃｏｎｔｒｏｌ  Ｅｌｅｍｅｎｔ）で前記ネットワーク側機器に報告すること、
または、
前記ＵＥが、すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告することを含む請求項１に記載の方法。
【請求項４】
前記ＵＥが、前記ＵＥに対応するバッファ状態報告要のすべてのベアラのバッファ状態情報を第１ＢＳＲ  ＭＡＣ  ＣＥでネットワーク側機器に報告することは、
前記ＵＥが、論理チャネル単位でバッファ状態情報を前記ネットワーク側機器に報告すること、
または、
前記ＵＥが、論理チャネル群単位でバッファ状態情報を前記ネットワーク側機器に報告すること、
または、
前記ＵＥが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む請求項３に記載の方法。
【請求項５】
前記ＵＥが、論理チャネル単位でバッファ状態情報を前記ネットワーク側機器に報告することは、
前記ＵＥが、論理チャネル単位で、該当論理チャネルに対応するＰＤＣＰ（Ｐａｃｋｅｔ  Ｄａｔａ  Ｃｏｎｖｅｒｇｅｎｃｅ  Ｐｒｏｔｏｃｏｌ）層バッファデータ量とＲＬＣ（Ｒａｄｉｏ  Ｌｉｎｋ  Ｃｏｎｔｒｏｌ）層バッファデータ量の和である各論理チャネルのバッファデータ量を前記ネットワーク側機器に報告すること、
または、
前記ＵＥが、論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、前記ＵＥが、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、前記ＵＥが、論理チャネル単位で、各論理チャネルのＰＤＣＰ層バッファデータ量およびＲＬＣ層バッファデータ量をそれぞれ前記ネットワーク側機器に報告することを含む請求項４に記載の方法。
【請求項６】
前記ＵＥが、論理チャネル群単位でバッファ状態情報を前記ネットワーク側機器に報告することは、
前記ＵＥが、論理チャネル群単位で、各論理チャネル群のバッファデータ量を前記ネットワーク側機器に報告すること、
ここで、パケット複製モードの設定／活性化が行われた同一ベアラに対応する複数の論理チャネルは、それぞれ、異なる論理チャネル群に属し、
または、
前記ＵＥが、論理チャネル群単位で、各論理チャネル群のバッファデータ量を前記ネットワーク側機器に報告すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含み、
前記ＵＥが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
前記ＵＥが、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
前記ＵＥが、パケット複製モードの設定／活性化が行われていないベアラに対応する論理チャネルのバッファ状態情報を、論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む請求項４に記載の方法。
【請求項７】
前記ＵＥが、パケット複製モードの設定／活性化が行われたベアラのバッファ状態情報を、第３ＢＳＲ  ＭＡＣ  ＣＥで前記ネットワーク側機器に報告することは、
前記ＵＥが、パケット複製モードの設定／活性化が行われたベアラに対応する複数の論理チャネルのバッファ状態情報を、論理チャネルおよび／または論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む請求項３に記載の方法。
【請求項８】
前記ＵＥが、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
前記ＵＥが、論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する請求項６または７に記載の方法。
【請求項９】
前記ＵＥが、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
前記ＵＥが、論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する請求項６または７に記載の方法。
【請求項１０】
パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る請求項５、８、９のいずれか一項に記載の方法。
【請求項１１】
前記ＵＥが、パケット複製モードの設定／活性化が行われた同一ベアラに対応する複数の論理チャネルのうちの１つの論理チャネルのみのバッファデータ量を前記ネットワーク側機器に報告する請求項１０に記載の方法。
【請求項１２】
前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤ（Ｌｏｇｉｃａｌ  Ｃｈａｎｎｅｌ  ＩＤ）および／または長さフィールド指示情報が付帯される請求項３に記載の方法。
【請求項１３】
ネットワーク側機器が、ＵＥから報告されたバッファ状態情報を受信することと、
ここで、パケット複製モードの設定／活性化が行われた同一ベアラに対応する複数の論理チャネルのバッファ状態情報は、それぞれ独自に報告され、
前記ネットワーク側機器が、前記バッファ状態情報に基づいて、パケット複製モードの設定／活性化が行われた同一ベアラに対応する複数の論理チャネルのデータを、それぞれ、異なる搬送波で伝送するようにスケジューリングすることと、
を含むバッファ状態報告の処理方法。
【請求項１４】
ＵＥであって、
前記ＵＥがバッファ状態報告トリガー条件を満たすかを判断する判断モジュールと、
前記ＵＥが前記バッファ状態報告トリガー条件を満たすのであれば、バッファ状態情報をネットワーク側機器に報告する報告モジュールと、
ここで、パケット複製モードの設定／活性化が行われた同一ベアラに対応する複数の論理チャネルのバッファ状態情報は、それぞれ独自に報告され、
を含むＵＥ。
【請求項１５】
ネットワーク側機器であって、
ＵＥから報告されたバッファ状態情報を受信する受信モジュールと、
ここで、パケット複製モードの設定／活性化が行われた同一ベアラに対応する複数の論理チャネルのバッファ状態情報は、それぞれ独自に報告され、
前記バッファ状態情報に基づいて、パケット複製モードの設定／活性化が行われた同一ベアラに対応する複数の論理チャネルのデータを、それぞれ、異なる搬送波で伝送するようにスケジューリングするスケジューリングモジュールと、
を含みネットワーク側機器。
【発明の詳細な説明】
【技術分野】
【０００１】
本願は、２０１７年３月２４日に中国特許庁に提出された中国特許出願２０１７１０１８４５８４．６の優先権を主張し、その全ての内容が援用によりここに取り込まれる。
本開示は、通信技術分野に係り、特にバッファ状態報告方法、ＵＥ（Ｕｓｅｒ  Ｅｑｕｉｐｍｅｎｔ）、バッファ状態報告の処理方法およびネットワーク側機器に係る。
【背景技術】
【０００２】
信頼度の高く遅延の近いサービス伝送要件をサポートするために、次世代の移動通信ネットワーク（たとえば５Ｇ）  ＮＲ（Ｎｅｗ  Ｒａｄｉｏ）において、ＰＤＣＰ（Ｐａｃｋｅｔ  Ｄａｔａ  Ｃｏｎｖｅｒｇｅｎｃｅ  Ｐｒｏｔｏｃｏｌ  ｄｕｐｌｉｃａｔｉｏｎ）層のパケット複製（ｄｕｐｌｉｃａｔｉｏｎ）メカニズムが導入されている。
【０００３】
ＵＥのアップリンクデータ伝送は、ネットワーク側によってスケジューリングされる。ネットワーク側は、アップリンクリソースの割当状況を特定してからＵＬ  ｇｒａｎｔ（アップリンクスケジューリンググラント）によってＵＥに通知する。ネットワーク側は、ＵＥから送信されるアップリンクデータ量、すなわちＵＥのバッファ状態を基に、アップリンクリソースの割当を行う。当該バッファがＵＥ側にあるが、ネットワーク側が当該情報を取得するには、ＵＥから基地局に対しＢＳＲ（Ｂｕｆｆｅｒ  ｓｔａｔｅ  ｒｅｐｏｒｔ）を行う必要がある。しかし、現在、ＰＤＣＰ層のパケット複製が導入されたシステムに対し、バッファ状態報告を行う方法がまだ提案されていない。
【発明の概要】
【発明が解決しようとする課題】
【０００４】
本開示の目的は、ＰＤＣＰ層のパケット複製が導入されたシステムに対し、バッファ状態報告を行う方法が現在まだ提案されていないという問題を解決するために、バッファ状態報告方法、ＵＥ、バッファ状態報告の処理方法およびネットワーク側機器を提供することにある。
【課題を解決するための手段】
【０００５】
上記の目的を達成するために、本開示の実施例は、バッファ状態報告方法を提供する。当該方法において、
ＵＥが、バッファ状態報告トリガー条件を満たすかを判断することと、
前記ＵＥが前記バッファ状態報告トリガー条件を満たすのであれば、前記ＵＥが、バッファ状態情報をネットワーク側機器に報告することと、
ここで、パケット複製モードの設定／活性化が行われた同一ベアラに対応する複数の論理チャネルのバッファ状態情報は、それぞれ独自に報告され、
を含む。
【０００６】
選択可能に、前記のＵＥがバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記ＵＥが、前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記ＵＥが、前記バッファ状態報告トリガー条件を満たすと特定することを含む。
【０００７】
選択可能に、前記ＵＥがバッファ状態情報をネットワーク側機器に報告することは、
前記ＵＥが、前記ＵＥに対応するバッファ状態報告要のすべてのベアラのバッファ状態情報を第１ＢＳＲ  ＭＡＣ  ＣＥ（Ｂｕｆｆｅｒ  Ｓｔａｔｅ  Ｒｅｐｏｒｔ  Ｍｅｄｉａ  Ａｃｃｅｓｓ  Ｃｏｎｔｒｏｌ  Ｃｏｎｔｒｏｌ  Ｅｌｅｍｅｎｔ）で前記ネットワーク側機器に報告すること、
または、
前記ＵＥが、すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告することを含む。
【０００８】
選択可能に、前記ＵＥが、前記ＵＥに対応するバッファ状態報告要のすべてのベアラのバッファ状態情報を第１ＢＳＲ  ＭＡＣ  ＣＥでネットワーク側機器に報告することは、
前記ＵＥが、論理チャネル単位でバッファ状態情報を前記ネットワーク側機器に報告すること、
または、
前記ＵＥが、論理チャネル群単位でバッファ状態情報を前記ネットワーク側機器に報告すること、
または、
前記ＵＥが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０００９】
選択可能に、前記ＵＥが、論理チャネル単位でバッファ状態情報を前記ネットワーク側機器に報告することは、
前記ＵＥが、論理チャネル単位で、該当論理チャネルに対応するＰＤＣＰ（Ｐａｃｋｅｔ  Ｄａｔａ  Ｃｏｎｖｅｒｇｅｎｃｅ  Ｐｒｏｔｏｃｏｌ）層バッファデータ量とＲＬＣ（Ｒａｄｉｏ  Ｌｉｎｋ  Ｃｏｎｔｒｏｌ）層バッファデータ量の和である各論理チャネルのバッファデータ量を前記ネットワーク側機器に報告すること、
または、
前記ＵＥが、論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、前記ＵＥが、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、前記ＵＥが、論理チャネル単位で、各論理チャネルのＰＤＣＰ層バッファデータ量およびＲＬＣ層バッファデータ量をそれぞれ前記ネットワーク側機器に報告することを含む。
【００１０】
選択可能に、前記ＵＥが、論理チャネル群単位でバッファ状態情報を前記ネットワーク側機器に報告することは、
前記ＵＥが、論理チャネル群単位で、各論理チャネル群のバッファデータ量を前記ネットワーク側機器に報告すること、
ここで、パケット複製モードの設定／活性化が行われた同一ベアラに対応する複数の論理チャネルは、それぞれ、異なる論理チャネル群に属し、
または、
前記ＵＥが、論理チャネル群単位で、各論理チャネル群のバッファデータ量を前記ネットワーク側機器に報告すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【００１１】
選択可能に、前記ＵＥが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
前記ＵＥが、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
前記ＵＥが、パケット複製モードの設定／活性化が行われていないベアラに対応する論理チャネルのバッファ状態情報を、論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む。
【００１２】
選択可能に、前記ＵＥが、パケット複製モードの設定／活性化が行われたベアラのバッファ状態情報を、第３ＢＳＲ  ＭＡＣ  ＣＥで前記ネットワーク側機器に報告することは、
前記ＵＥが、パケット複製モードの設定／活性化が行われたベアラに対応する複数の論理チャネルのバッファ状態情報を、論理チャネルおよび／または論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【００１３】
選択可能に、前記ＵＥが、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
前記ＵＥが、論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する。
【００１４】
選択可能に、前記ＵＥが、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
前記ＵＥが、論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する。
【００１５】
選択可能に、パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る。
【００１６】
選択可能に、前記ＵＥが、パケット複製モードの設定／活性化が行われた同一ベアラに対応する複数の論理チャネルのうちの１つの論理チャネルのみのバッファデータ量を前記ネットワーク側機器に報告する。
【００１７】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤ（Ｌｏｇｉｃａｌ  Ｃｈａｎｎｅｌ  ＩＤ）および／または長さフィールド指示情報が付帯される。
【００１８】
本開示の実施例は、バッファ状態報告の処理方法をさらに提供する。前記方法において、
ネットワーク側機器が、ＵＥから報告されたバッファ状態情報を受信することと、
ここで、パケット複製モードの設定／活性化が行われた同一ベアラに対応する複数の論理チャネルのバッファ状態情報は、それぞれ独自に報告され、
前記ネットワーク側機器が、前記バッファ状態情報に基づいて、パケット複製モードの設定／活性化が行われた同一ベアラに対応する複数の論理チャネルのデータを、それぞれ、異なる搬送波で伝送するようにスケジューリングすることと、
を含む。
【００１９】
選択可能に、前記ネットワーク側機器がＵＥから報告されたバッファ状態情報を受信することは、
前記ネットワーク側機器が、前記ＵＥから報告され、前記ＵＥに対応するバッファ状態報告要のすべてのベアラのバッファ状態情報を第１ＢＳＲ  ＭＡＣ  ＣＥで受信すること、
または、
前記ネットワーク側機器が、前記ＵＥから報告され、すべてのバッファ状態報告要でかつパケット複製モードの設定／活性化が行われていないベアラのバッファ状態情報を、第２ＢＳＲ  ＭＡＣ  ＣＥで受信し、前記ＵＥから報告され、すべてのバッファ状態報告要でかつパケット複製モードの設定／活性化が行われたベアラのバッファ状態情報を、第３ＢＳＲ  ＭＡＣ  ＣＥで受信することを含む。
【００２０】
選択可能に、前記ネットワーク側機器が、前記ＵＥから報告され、前記ＵＥに対応するバッファ状態報告要のすべてのベアラのバッファ状態情報を第１ＢＳＲ  ＭＡＣ  ＣＥで受信することは、
前記ネットワーク側機器が、前記ＵＥから論理チャネル単位で報告されたバッファ状態情報を受信すること、
または、
前記ネットワーク側機器が、前記ＵＥから論理チャネル群単位で報告されたバッファ状態情報を受信すること、
または、
前記ネットワーク側機器が、前記ＵＥから論理チャネル単位で報告された一部の論理チャネルのバッファ状態情報、および、論理チャネル群単位で報告されたほかの論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【００２１】
選択可能に、前記ネットワーク側機器が、前記ＵＥから論理チャネル単位で報告されたバッファ状態情報を受信することは、
前記ネットワーク側機器が、前記ＵＥから論理チャネル単位で報告され、該当論理チャネルに対応するＰＤＣＰ層バッファデータ量とＲＬＣ層バッファデータ量の和である各論理チャネルのバッファデータ量を受信すること、
または、
前記ネットワーク側機器が、前記ＵＥから論理チャネル単位でそれぞれ報告された各論理チャネルのＰＤＣＰ層バッファデータ量およびＲＬＣ層バッファデータ量を受信すること、
または、
パケット複製モードの設定／活性化が行われていないベアラに対応する論理チャネルに対し、前記ネットワーク側機器が、前記ＵＥから論理チャネル単位で報告され、該当論理チャネルのＰＤＣＰ層バッファデータ量とＲＬＣ層バッファデータ量の和である各論理チャネルのバッファデータ量を受信し、パケット複製モードの設定／活性化が行われたベアラに対応する複数の論理チャネルに対し、前記ネットワーク側機器が、前記ＵＥから論理チャネル単位で報告された各論理チャネルのＰＤＣＰ層バッファデータ量およびＲＬＣ層バッファデータ量を受信することを含む。
【００２２】
選択可能に、前記ネットワーク側機器が、前記ＵＥから論理チャネル群単位で報告されたバッファ状態情報を受信することは、
前記ネットワーク側機器が、前記ＵＥから論理チャネル群単位で報告された各論理チャネル群のバッファデータ量を受信すること、
ここで、パケット複製モードの設定／活性化が行われた同一ベアラに対応する複数の論理チャネルは、それぞれ、異なる論理チャネル群に属し、
または、
前記ネットワーク側機器が、前記ＵＥから論理チャネル群単位で報告された各論理チャネル群のバッファデータ量を受信すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【００２３】
選択可能に、前記ネットワーク側機器が、前記ＵＥから論理チャネル単位で報告された一部の論理チャネルのバッファ状態情報、および、論理チャネル群単位で報告されたほかの論理チャネルのバッファ状態情報を受信することは、
前記ネットワーク側機器が、前記ＵＥから論理チャネル群単位で報告され、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を受信し、かつ、論理チャネル単位で報告されたパケット複製モードの設定／活性化が行われたベアラに対応するほかの論理チャネルのバッファ状態情報を受信すること、
または、
前記ネットワーク側機器が、前記ＵＥから論理チャネル群単位で報告され、パケット複製モードの設定／活性化が行われていないベアラに対応する論理チャネルのバッファ状態情報を受信し、かつ、論理チャネル単位で報告されたパケット複製モードの設定／活性化が行われたベアラに対応する複数の論理チャネルのバッファ状態情報を受信することを含む。
【００２４】
選択可能に、前記ネットワーク側機器が、前記ＵＥから報告され、パケット複製モードの設定／活性化が行われたベアラのバッファ状態情報を、第３ＢＳＲ  ＭＡＣ  ＣＥで受信することは、
前記ネットワーク側機器が、前記ＵＥから論理チャネルおよび／または論理チャネル群単位で報告され、パケット複製モードの設定／活性化が行われたベアラに対応する複数の論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【００２５】
選択可能に、前記ネットワーク側機器が、前記ＵＥから論理チャネル群単位で報告されたバッファ状態情報を受信する場合、前記ＵＥから報告され、該当論理チャネル群のＰＤＣＰ層バッファデータ量とＲＬＣ層バッファデータ量の和である各論理チャネル群のバッファデータ量を受信し、
または、
前記ネットワーク側機器が、前記ＵＥから論理チャネル群単位で報告されたバッファ状態情報を受信する場合、前記ＵＥからそれぞれ報告された各論理チャネル群のＰＤＣＰ層バッファデータ量およびＲＬＣ層バッファデータ量を受信する。
【００２６】
選択可能に、前記ネットワーク側機器が、前記ＵＥから論理チャネル単位で報告されたバッファ状態情報を受信する場合、前記ＵＥから報告され、該当論理チャネルのＰＤＣＰ層バッファデータ量とＲＬＣ層バッファデータ量の和である各論理チャネルのバッファデータ量を受信し、
または、
前記ネットワーク側機器が、前記ＵＥから論理チャネル単位で報告されたバッファ状態情報を受信する場合、前記ＵＥからそれぞれ報告された各論理チャネルのＰＤＣＰ層バッファデータ量およびＲＬＣ層バッファデータ量を受信する。
【００２７】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【００２８】
選択可能に、前記方法において、前記ネットワーク側機器が、前記ＵＥに対し論理チャネルと搬送波とのマッピング関係を設定することをさらに含む。
【００２９】
本開示の実施例は、ＵＥをさらに提供する。前記ＵＥは、
前記ＵＥがバッファ状態報告トリガー条件を満たすかを判断する判断モジュールと、
前記ＵＥが前記バッファ状態報告トリガー条件を満たすのであれば、バッファ状態情報をネットワーク側機器に報告する報告モジュールと、
ここで、パケット複製モードの設定／活性化が行われた同一ベアラに対応する複数の論理チャネルのバッファ状態情報は、それぞれ独自に報告され、
を含む。
【００３０】
選択可能に、前記判断モジュールによって、前記ＵＥがバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記判断モジュールによって、前記ＵＥが前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記判断モジュールによって、前記ＵＥが前記バッファ状態報告トリガー条件を満たすと特定することを含む。
【００３１】
選択可能に、前記報告モジュールは、
前記ＵＥに対応するバッファ状態報告要のすべてのベアラのバッファ状態情報を第１ＢＳＲ  ＭＡＣ  ＣＥで前記ネットワーク側機器に報告し、
または、
すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告する。
【００３２】
選択可能に、前記報告モジュールが、前記ＵＥに対応するバッファ状態報告要のすべてのベアラのバッファ状態情報を第１ＢＳＲ  ＭＡＣ  ＣＥでネットワーク側機器に報告することは、
論理チャネル単位でバッファ状態情報を前記ネットワーク側機器に報告すること、
または、
論理チャネル群単位でバッファ状態情報を前記ネットワーク側機器に報告すること、
または、
一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【００３３】
選択可能に、前記報告モジュールが、論理チャネル単位でバッファ状態情報を前記ネットワーク側機器に報告することは、
論理チャネル単位で、該当論理チャネルに対応するＰＤＣＰ層バッファデータ量とＲＬＣ層バッファデータ量の和である各論理チャネルのバッファデータ量を前記ネットワーク側機器に報告すること、
または、
論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、前記報告モジュールが、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、前記報告モジュールが、論理チャネル単位で、各論理チャネルのＰＤＣＰ層バッファデータ量およびＲＬＣ層バッファデータ量をそれぞれ前記ネットワーク側機器に報告することを含む。
【００３４】
選択可能に、前記報告モジュールが、論理チャネル群単位でバッファ状態情報を前記ネットワーク側機器に報告することは、
論理チャネル群単位で、各論理チャネル群のバッファデータ量を前記ネットワーク側機器に報告すること、
ここで、パケット複製モードの設定／活性化が行われた同一ベアラに対応する複数の論理チャネルは、それぞれ、異なる論理チャネル群に属し、
または、
論理チャネル群単位で、各論理チャネル群のバッファデータ量を前記ネットワーク側機器に報告すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【００３５】
選択可能に、前記報告モジュールが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
パケット複製モードの設定／活性化が行われていないベアラに対応する論理チャネルのバッファ状態情報を論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む。
【００３６】
選択可能に、前記報告モジュールが、パケット複製モードの設定／活性化が行われたベアラのバッファ状態情報を、第３ＢＳＲ  ＭＡＣ  ＣＥで前記ネットワーク側機器に報告することは、
パケット複製モードの設定／活性化が行われたベアラに対応する複数の論理チャネルのバッファ状態情報を、論理チャネルおよび／または論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【００３７】
選択可能に、前記報告モジュールが、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
前記報告モジュールが、論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する。
【００３８】
選択可能に、前記報告モジュールが、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
前記報告モジュールが、論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する。
【００３９】
選択可能に、パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る。
【００４０】
選択可能に、前記報告モジュールが、パケット複製モードの設定／活性化が行われた同一ベアラに対応する複数の論理チャネルのうちの１つの論理チャネルのみのバッファデータ量を前記ネットワーク側機器に報告する。
【００４１】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【００４２】
本開示の実施例は、ネットワーク側機器をさらに提供する。前記ネットワーク側機器は、
ＵＥから報告されたバッファ状態情報を受信する受信モジュールと、
ここで、パケット複製モードの設定／活性化が行われた同一ベアラに対応する複数の論理チャネルのバッファ状態情報は、それぞれ独自に報告され、
前記バッファ状態情報に基づいて、パケット複製モードの設定／活性化が行われた同一ベアラに対応する複数の論理チャネルのデータを、それぞれ、異なる搬送波で伝送するようにスケジューリングするスケジューリングモジュールと、
を含む。
【００４３】
選択可能に、前記受信モジュールは、
前記ＵＥから報告され、前記ＵＥに対応するバッファ状態報告要のすべてのベアラのバッファ状態情報を第１ＢＳＲ  ＭＡＣ  ＣＥで受信し、
または、
前記ＵＥから報告され、すべてのバッファ状態報告要でかつパケット複製モードの設定／活性化が行われていないベアラのバッファ状態情報を、第２ＢＳＲ  ＭＡＣ  ＣＥで受信し、前記ＵＥから報告され、すべてのバッファ状態報告要でかつパケット複製モードの設定／活性化が行われたベアラのバッファ状態情報を、第３ＢＳＲ  ＭＡＣ  ＣＥで受信する。
【００４４】
選択可能に、前記受信モジュールが、前記ＵＥから報告され、前記ＵＥに対応するバッファ状態報告要のすべてのベアラのバッファ状態情報を第１ＢＳＲ  ＭＡＣ  ＣＥで受信することは、
前記ＵＥから論理チャネル単位で報告されたバッファ状態情報を受信すること、
または、
前記ＵＥから論理チャネル群単位で報告されたバッファ状態情報を受信すること、
または、
前記ＵＥから論理チャネル単位で報告された一部の論理チャネルのバッファ状態情報、および、論理チャネル群単位で報告されたほかの論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【００４５】
選択可能に、前記受信モジュールが、前記ＵＥから論理チャネル単位で報告されたバッファ状態情報を受信することは、
前記ＵＥから論理チャネル単位で報告され、該当論理チャネルに対応するＰＤＣＰ層バッファデータ量とＲＬＣ層バッファデータ量の和である各論理チャネルのバッファデータ量を受信すること、
または、
前記ＵＥから論理チャネル単位でそれぞれ報告された各論理チャネルのＰＤＣＰ層バッファデータ量およびＲＬＣ層バッファデータ量を受信すること、
または、
パケット複製モードの設定／活性化が行われていないベアラに対応する論理チャネルに対し、前記受信モジュールが、前記ＵＥから論理チャネル単位で報告され、該当論理チャネルのＰＤＣＰ層バッファデータ量とＲＬＣ層バッファデータ量の和である各論理チャネルのバッファデータ量を受信し、パケット複製モードの設定／活性化が行われたベアラに対応する複数の論理チャネルに対し、前記受信モジュールが、前記ＵＥから論理チャネル単位で報告された各論理チャネルのＰＤＣＰ層バッファデータ量およびＲＬＣ層バッファデータ量を受信することを含む。
【００４６】
選択可能に、前記受信モジュールが、前記ＵＥから論理チャネル群単位で報告されたバッファ状態情報を受信することは、
前記ＵＥから論理チャネル群単位で報告された各論理チャネル群のバッファデータ量を受信すること、
ここで、パケット複製モードの設定／活性化が行われた同一ベアラに対応する複数の論理チャネルは、それぞれ、異なる論理チャネル群に属し、
または、
前記ＵＥから論理チャネル群単位で報告された各論理チャネル群のバッファデータ量を受信すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【００４７】
選択可能に、前記受信モジュールが、前記ＵＥから論理チャネル単位で報告された一部の論理チャネルのバッファ状態情報、および、論理チャネル群単位で報告されたほかの論理チャネルのバッファ状態情報を受信することは、
前記ＵＥから論理チャネル群単位で報告され、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を受信し、論理チャネル単位で報告されたパケット複製モードの設定／活性化が行われたベアラに対応するほかの論理チャネルのバッファ状態情報を受信すること、
または、
前記ＵＥから論理チャネル群単位で報告され、パケット複製モードの設定／活性化が行われていないベアラに対応する論理チャネルのバッファ状態情報を受信し、かつ、論理チャネル単位で報告されたパケット複製モードの設定／活性化が行われたベアラに対応する複数の論理チャネルのバッファ状態情報を受信することを含む。
【００４８】
選択可能に、前記受信モジュールが、前記ＵＥから報告され、パケット複製モードの設定／活性化が行われたベアラのバッファ状態情報を、第３ＢＳＲ  ＭＡＣ  ＣＥで受信することは、
前記ＵＥから論理チャネルおよび／または論理チャネル群単位で報告され、パケット複製モードの設定／活性化が行われたベアラに対応する複数の論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【００４９】
選択可能に、前記受信モジュールが、前記ＵＥから論理チャネル群単位で報告されたバッファ状態情報を受信する場合、前記ＵＥから報告され、該当論理チャネル群のＰＤＣＰ層バッファデータ量とＲＬＣ層バッファデータ量の和である各論理チャネル群のバッファデータ量を受信し、
または、
前記受信モジュールが、前記ＵＥから論理チャネル群単位で報告されたバッファ状態情報を受信する場合、前記ＵＥからそれぞれ報告された各論理チャネル群のＰＤＣＰ層バッファデータ量およびＲＬＣ層バッファデータ量を受信する。
【００５０】
選択可能に、前記受信モジュールが、前記ＵＥから論理チャネル単位で報告されたバッファ状態情報を受信する場合、前記ＵＥから報告され、該当論理チャネルのＰＤＣＰ層バッファデータ量とＲＬＣ層バッファデータ量の和である各論理チャネルのバッファデータ量を受信し、
または、
前記受信モジュールが、前記ＵＥから論理チャネル単位で報告されたバッファ状態情報を受信する場合、前記ＵＥからそれぞれ報告された各論理チャネルのＰＤＣＰ層バッファデータ量およびＲＬＣ層バッファデータ量を受信する。
【００５１】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【００５２】
選択可能に、前記スケジューリングモジュールが、さらに、前記ＵＥに対し論理チャネルと搬送波とのマッピング関係を設定する。
【００５３】
本開示の実施例は、メモリと、プロセッサと、前記メモリに記憶されている１つまたは複数のプログラムを含むＵＥをさらに提供する。前記プロセッサは、前記１つまたは複数のプログラムを読み取って、上記の方法で前記ＵＥによって実行されるステップを実行する。
【００５４】
本開示の実施例は、メモリと、プロセッサと、前記メモリに記憶されている１つまたは複数のプログラムを含むネットワーク側機器をさらに提供する。前記プロセッサは、前記１つまたは複数のプログラムを読み取って、上記の方法で前記ネットワーク側機器によって実行されるステップを実行する。
【００５５】
本開示の実施例は、コンピュータによって実行可能な１つまたは複数のプログラムが記憶されているコンピュータ読み取り可能な記憶媒体をさらに提供する。前記１つまたは複数のプログラムが前記コンピュータによって実行されると、上記の方法で前記ＵＥによって実行されるステップを前記コンピュータに実行させる。
【００５６】
本開示の実施例は、コンピュータによって実行可能な１つまたは複数のプログラムが記憶されているコンピュータ読み取り可能な記憶媒体をさらに提供する。前記１つまたは複数のプログラムが前記コンピュータによって実行されると、上記の方法で前記ネットワーク側機器によって実行されるステップを前記コンピュータに実行させる。
【発明の効果】
【００５７】
本開示の実施例のバッファ状態報告方法において、ＵＥは、バッファ状態報告トリガー条件を満たすかを判断し、前記ＵＥが前記バッファ状態報告トリガー条件を満たすのであれば、バッファ状態情報をネットワーク側機器に報告する。ここで、パケット複製モードの設定／活性化が行われた同一ベアラに対応する複数の論理チャネルのバッファ状態情報は、それぞれ独自に報告される。このように、前記ネットワーク側機器が、パケット複製モードの設定／活性化が行われたベアラに対応するデータ量を正確に取得することができ、当該ベアラに対応する複数の論理チャネルに対し複数の異なる搬送波で比較的正確なスケジューリングを行うことによって、リソース割当の性能を高め、リソース割当の不十分や無駄遣いを避ける。
【図面の簡単な説明】
【００５８】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００５９】
【図１】本開示の一部実施例におけるパケット複製モードの概略図である。
【図２】本開示の一部実施例におけるバッファ状態報告方法のフローチャートである。
【図３】本開示の一部実施例におけるＭＡＣサブヘッダの概略図である。
【図４】本開示の一部実施例におけるｓｈｏｒｔ  ＢＳＲとｔｒｕｎｃａｔｅｄ  ＢＳＲのＭＡＣ  ＣＥのフォーマット図である。
【図５】本開示の一部実施例におけるｌｏｎｇ  ＢＳＲフォーマットの概略図である。
【図６】本開示の一部実施例におけるＢＳＲ  ＭＡＣ  ＣＥの内容概略図である。
【図７】本開示の一部実施例における別のＢＳＲ  ＭＡＣ  ＣＥの内容概略図である。
【図８】本開示の一部実施例における別のＢＳＲ  ＭＡＣ  ＣＥの内容概略図である。
【図９】本開示の一部実施例における別のＢＳＲ  ＭＡＣ  ＣＥの内容概略図である。
【図１０】本開示の一部実施例における別のＢＳＲ  ＭＡＣ  ＣＥの内容概略図である。
【図１１】本開示の一部実施例における別のＢＳＲ  ＭＡＣ  ＣＥの内容概略図である。
【図１２】本開示の一部実施例における別のＢＳＲ  ＭＡＣ  ＣＥの内容概略図である。
【図１３】本開示の一部実施例における別のＢＳＲ  ＭＡＣ  ＣＥの内容概略図である。
【図１４】本開示の一部実施例における別のＢＳＲ  ＭＡＣ  ＣＥの内容概略図である。
【図１５】本開示の一部実施例における別のＢＳＲ  ＭＡＣ  ＣＥの内容概略図である。
【図１６】本開示の一部実施例におけるバッファ状態報告の処理方法のフローチャートである。
【図１７】本開示の一部実施例におけるＵＥの構造概略図である。
【図１８】本開示の一部実施例におけるネットワーク側機器の構造概略図である。
【図１９】本開示の一部実施例における別のＵＥの構造概略図である。
【図２０】本開示の一部実施例における別のネットワーク側機器の構造概略図である。
【発明を実施するための形態】
【００６０】
本開示の解決しようとする技術課題、技術手段および利点をより明確にするために、以下、図面および具体的な実施例を通じて詳細に記載する。
【００６１】
次世代通信システム（たとえば５Ｇ）  ＮＲシステムにおいて、主に、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）の３種類のサービスがサポートされる。
【００６２】
ＵＲＬＬＣの場合、遅延と信頼性に対し高く求めるため、現在、３ＧＰＰ（３ｒｄ  Ｇｅｎｅｒａｔｉｏｎ  Ｐａｒｔｎｅｒｓｈｉｐ  Ｐｒｏｊｅｃｔ）において、解決策としてＰＤＣＰ層のパケット複製の導入が提案され、すなわち複数のパスで同一のＰＤＣＰ層データを伝送し、マルチパス伝送ゲインで伝送の信頼性を向上させるとともに、伝送遅延を低下させる。図１を参照すると、図１は、本開示の一部実施例におけるＰＤＣＰ層のパケット複製モデル図である。図１に示すように、ＰＤＣＰ層の１つの無線ベアラ（図１に示す１つのＰＤＣＰエンティティに対応する）は、ＲＬＣ（Ｒａｄｉｏ  Ｌｉｎｋ  Ｃｏｎｔｒｏｌ）層で２つの論路チャネル（各論理チャネルが図１の１つのＲＬＣエンティティに対応する）でそれぞれ伝送され、ＭＡＣ（Ｍｅｄｉａ  Ａｃｃｅｓｓ  Ｃｏｎｔｒｏｌ）層において１つのＭＡＣエンティティで処理され、２つのＲＬＣ論理チャネルからのデータをそれぞれ異なる搬送波にマッピングして伝送する。なお、図１に示す概略図は、パケット複製モードの設定が行われた１つのベアラが２つの論理チャネルに対応することを例としているに過ぎず、これに限られない。すなわち、パケット複製モードの設定が行われた１つのベアラは、複数の論理チャネルに対応可能である。
【００６３】
上記の応用環境に基づき、本開示は、バッファ状態報告方法を提供するが、以下、具体的な実施例とともに本開示のバッファ状態報告方法を詳細に記載する。本開示の一部実施例におけるＵＥは、たとえば携帯電話、コンピュータ、家電機器、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末機器である。なお、本開示の一部実施例において、前記ＵＥの具体的な種類を限定しない。本開示の一部実施例におけるネットワーク側機器は、基地局などのアクセスネットワークエンティティである。本開示の一部実施例における論理チャネルＩＤまたは論理チャネル群ＩＤは、論理チャネルまたは論理チャネル群を識別するためのものであり、たとえば論理チャネル番号または論理チャネル群番号である。
【００６４】
図２を参照する。図２は、本開示の一部実施例におけるバッファ状態報告方法のフローチャートである。図２に示すように、前記方法は、以下のステップを含む。
【００６５】
ステップ２０１において、ＵＥは、バッファ状態報告トリガー条件を満たすかを判断する。
【００６６】
ステップ２０２において、前記ＵＥが前記バッファ状態報告トリガー条件を満たすのであれば、前記ＵＥは、バッファ状態情報をネットワーク側機器に報告する。
ここで、パケット複製モードの設定／活性化が行われた同一ベアラに対応する複数の論理チャネルのバッファ状態情報は、それぞれ独自に報告される。
【００６７】
本開示の一部実施例において、前記ＵＥは、バッファ状態報告トリガー条件を満たすかを判断し、前記バッファ状態報告トリガー条件を満たすのであれば、最近の利用可能なＵＬ  ｇｒａｎｔ（アップリンクスケジューリンググラント）でバッファ状態情報を前記ネットワーク側機器に報告する。前記バッファ状態報告トリガー条件は、関連技術のＬＴＥ（Ｌｏｎｇ  Ｔｅｒｍ  Ｅｖｏｌｕｔｉｏｎ）システムにおけるＢＳＲ（Ｂｕｆｆｅｒ  Ｓｔａｔｅ  Ｒｅｐｏｒｔ）トリガー条件を含んでもよく、下記のＰＤＣＰ層のパケットｄｕｐｌｉｃａｔｉｏｎ（以下統一してパケット複製と称する）モードに基づいた新規のトリガー条件を含んでもよい。
【００６８】
前記新規のトリガー条件は、前記ネットワーク側機器が前記ＵＥの少なくとも１つのベアラのパケット複製モード状態を変更したことを含む。すなわち、この場合、ネットワーク側機器が前記ＵＥの少なくとも１つのベアラに対しパケット複製モードの設定／活性化、または設定解除／非活性化を行った場合、前記ＵＥは、前記バッファ状態報告トリガー条件を満たすと特定する。前記新規のトリガー条件は、パケット複製モードの設定／活性化が行われた前記ＵＥの少なくとも１つのベアラに対応する複数の論理チャネルのバッファ状態差が所定の閾値を超えたことを含んでもよい。すなわち、この場合、パケット複製モードの設定／活性化が行われた前記ＵＥの少なくとも１つのベアラに対応する複数の論理チャネルのバッファ状態差が前記所定の閾値を超えた場合、前記ＵＥは、前記バッファ状態報告トリガー条件を満たすと特定する。
【００６９】
もちろん、前記バッファ状態報告トリガー条件は、関連技術のＬＴＥシステムにおけるＢＳＲトリガー条件と、上記のＰＤＣＰ層のパケット複製モードに基づいた新規のトリガー条件を同時に含んでもよいが、これについて、本開示において具体的に限定しない。
【００７０】
前記ＵＥが前記バッファ状態報告トリガー条件を満たす場合、前記ＵＥは、バッファ状態情報を前記ネットワーク側機器に報告する。本開示の一部実施例において、前記ＵＥは、パケット複製モードの設定／活性化が行われた同一ベアラに対応する複数の論理チャネルのバッファ状態情報をそれぞれ独自に報告する。前記ＵＥは、１つのＢＳＲ  ＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ）によって、バッファ状態情報を前記ネットワーク側機器に報告することができる。前記１つのＢＳＲ  ＭＡＣ  ＣＥには、前記ＵＥに対応するバッファ状態報告要のすべてのベアラのバッファ状態情報が付帯される。前記ＵＥは、２つの異なるＢＳＲ  ＭＡＣ  ＣＥによって、バッファ状態情報を前記ネットワーク側機器に報告してもよい。ここで、１つのＢＳＲ  ＭＡＣ  ＣＥには、すべてのバッファ状態報告要でかつパケット複製モードの設定／活性化が行われていないベアラのバッファ状態情報が付帯され、もう１つのＢＳＲ  ＭＡＣ  ＣＥには、すべてのバッファ状態報告要でかつパケット複製モードの設定／活性化が行われたベアラのバッファ状態情報が付帯される。
【００７１】
前記ＢＳＲ  ＭＡＣ  ＣＥは、ＭＡＣサブヘッダ（ｓｕｂ−ｈｅａｄｅｒ）とＭＡＣ  ＣＥの両部分に分けられる。ｔｒｕｎｃａｔｅｄ  ＢＳＲとｓｈｏｒｔ  ＢＳＲとは、フォーマットが同じであるため、ＢＳＲ  ＭＡＣ  ＣＥは、ｌｏｎｇ  ＢＳＲとｓｈｏｒｔ  ＢＳＲの２種類のフォーマットに分けられる。図３を参照する。図３は、本開示の一部実施例におけるＭＡＣサブヘッダの概略図である。図３に示すように、Ｒは、リザーブドビットを示し、Ｅは、次のバイトがＭＡＣサブヘッダであるかＭＡＣ負荷であるかを指示するための拡張ビットを示し、ＬＣＩＤは、論理チャネルＩＤ（Ｌｏｇｉｃａｌ  Ｃｈａｎｎｅｌ  ＩＤ）であり、対応する負荷部分の論理チャネルを識別するためのものである。図４を参照する。図４は、本開示の一部実施例におけるｓｈｏｒｔ  ＢＳＲとｔｒｕｎｃａｔｅｄ  ＢＳＲのＭＡＣ  ＣＥのフォーマットである。図４に示すように、ＬＣＧ  ＩＤは、論理チャネル群ＩＤ（Ｌｏｇｉｃａｌ  Ｃｈａｎｎｅｌ  Ｇｒｏｕｐ  ＩＤ）であり、論理チャネル群を識別するためのものであり、Ｂｕｆｆｅｒ  Ｓｉｚｅは、対応する論理チャネル群におけるデータバッファ量である。図５は、ｌｏｎｇ  ＢＳＲフォーマットの概略図である。
【００７２】
前記ＢＳＲ  ＭＡＣ  ＣＥの長さが不特定であるため、本開示の一部実施例において、前記ＵＥからバッファ状態情報を前記ネットワーク側機器に報告する際に、前記ＢＳＲ  ＭＡＣ  ＣＥの長さを指示するための長さフィールド指示情報が前記ＢＳＲ  ＭＡＣ  ＣＥに付帯される。前記ＢＳＲ  ＭＡＣ  ＣＥに論理チャネルＩＤを付帯してもよい。前記論理チャネルＩＤは、前記ＭＡＣサブヘッダに付帯されてもよく、前記ＭＡＣ  ＣＥに付帯されてもよいが、これについて、本開示の一部実施例において具体的に限定しない。
【００７３】
前記ＵＥは、単に論理チャネル単位でバッファ状態情報を前記ネットワーク側機器に報告してもよく、単に論理チャネル群単位でバッファ状態情報を前記ネットワーク側機器に報告してもよいが、論理チャネル単位と論理チャネル群単位を組み合わせた方式でバッファ状態情報を前記ネットワーク側機器に報告してもよい。前記ＵＥは、論理チャネル群単位でバッファ状態情報を前記ネットワーク側機器に報告する場合、パケット複製モードの設定／活性化が行われた同一ベアラに対応する複数の論理チャネルをそれぞれ異なる論理チャネル群に区分して報告する。言い換えれば、パケット複製モードの設定／活性化が行われた同一ベアラに対応する複数の論理チャネルは、それぞれ、異なる論理チャネル群に属する。
【００７４】
前記ＵＥは、バッファデータ量を前記ネットワーク側機器に報告する場合、ＰＤＣＰ層およびＲＬＣ層の区分をしなくてもよい。すなわち、前記ＵＥは、各論理チャネルまたは論理チャネル群のバッファデータ量を前記ネットワーク側機器に報告し、前記各論理チャネルまたは論理チャネル群のバッファデータ量が、該当論理チャネルまたは論理チャネル群に対応するＰＤＣＰ層バッファデータ量とＲＬＣ層バッファデータ量の和である。前記ＵＥは、バッファデータ量を前記ネットワーク側機器に報告する場合、ＰＤＣＰ層およびＲＬＣ層のバッファデータ量の区分をしてもよい。すなわち、前記ＵＥは、各論理チャネルまたは論理チャネル群のＰＤＣＰ層バッファデータ量およびＲＬＣ層バッファデータ量をそれぞれ前記ネットワーク側機器に報告する。本開示の一部実施例において、前記ＵＥは、バッファデータ量を前記ネットワーク側機器に報告する場合、部分的にＰＤＣＰ層およびＲＬＣ層のバッファデータ量の区分をし、部分的にＰＤＣＰ層およびＲＬＣ層のバッファデータ量の区分をしないのもよい。たとえば、前記ＵＥは、パケット複製モードの設定／活性化が行われたベアラのみに対しＰＤＣＰ層およびＲＬＣ層のバッファデータ量の区分をするが、パケット複製モードの設定／活性化が行われていないベアラに対しＰＤＣＰ層およびＲＬＣ層のバッファデータ量の区分をしない。
【００７５】
本開示の一部実施例において、前記ＵＥは、バッファ状態情報を前記ネットワーク側機器に報告する場合、パケット複製モードの設定／活性化が行われた同一ベアラに対応する複数の論理チャネルのうちの各論理チャネルのＲＬＣ層バッファデータ量について、すべて、当該ベアラに対応する複数の論理チャネルのＲＬＣ層データ量の最小値を取る。本開示の一部実施例において、前記ＵＥは、そのうちの１つの論理チャネルのみのバッファデータ量を前記ネットワーク側機器に報告してもよい。
【００７６】
なお、パケット複製モードの設定／活性化が行われていないベアラに対応する論理チャネルに対し、前記ＵＥは、関連技術のＬＴＥシステムにおける論理チャネル群単位の方式で報告してもよく、本開示の一部実施例の論理チャネル単位、または、論理チャネル単位と論理チャネル群単位の組み合わせの方式で報告してもよいが、これについて、本開示において具体的に限定しない。
【００７７】
前記ネットワーク側機器は、前記ＵＥから報告されたバッファ状態情報を受信すると、パケット複製モードの設定／活性化が行われたベアラに対応する複数の異なる論理チャネルを識別し、パケット複製モードの設定／活性化が行われた同一ベアラに対応する異なる論理チャネルのデータを、異なる搬送波で伝送するようにスケジューリングする。前記ネットワーク側機器は、前記ＵＥにＵＬ  ｇｒａｎｔを配信する。前記ＵＥは、前記ネットワーク側機器から配信されたＵＬ  ｇｒａｎｔを受信すると、ネットワーク側機器によって設定されたベアラと搬送波とのマッピング関係に基づいて、ＬＣＰ（Ｌｏｇｉｃａｌ  Ｃｈａｎｎｅｌ  Ｐｒｉｏｒｉｔｉｚａｔｉｏｎ）プロセスを行う。
【００７８】
選択可能に、前記ＵＥがバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記ＵＥが、前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記ＵＥが、前記バッファ状態報告トリガー条件を満たすと特定することを含む。
【００７９】
本開示の一部実施例において、前記バッファ状態報告条件は、パケット複製モードに基づいた新規の報告トリガー条件を含む。すなわち、前記バッファ状態報告トリガー条件は、前記ネットワーク側機器が前記ＵＥの少なくとも１つのベアラのパケット複製モード状態を変更したことを含む。すなわち、本開示の一部実施例において、前記ネットワーク側機器が前記ＵＥの少なくとも１つのベアラに対しパケット複製モードの設定／活性化、または設定解除／非活性化を行った場合、前記ＵＥは、前記バッファ状態報告トリガー条件を満たすと特定する。前記バッファ状態報告トリガー条件は、パケット複製モードの設定／活性化が行われた前記ＵＥの少なくとも１つのベアラに対応する複数の論理チャネルのバッファ状態差が所定の閾値を超えたことを含んでもよい。すなわち、パケット複製モードの設定／活性化が行われた前記ＵＥの少なくとも１つのベアラに対応する複数の論理チャネルのバッファ状態差が所定の閾値を超えた場合、前記ＵＥは、前記バッファ状態報告トリガー条件を満たすと特定する。
【００８０】
選択可能に、前記ＵＥがバッファ状態情報をネットワーク側機器に報告することは、
前記ＵＥが、前記ＵＥに対応するバッファ状態報告要のすべてのベアラのバッファ状態情報を第１ＢＳＲ  ＭＡＣ  ＣＥで前記ネットワーク側機器に報告すること、
または、
前記ＵＥが、すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告することを含む。
【００８１】
本開示の一部実施例において、前記ＵＥが前記バッファ状態報告トリガー条件を満たす場合、前記ＵＥは、前記ネットワーク側機器に１本のＢＳＲ  ＭＡＣ  ＣＥを送信してバッファ状態情報を報告してもよく、前記ネットワーク側機器に２本のＢＳＲ  ＭＡＣ  ＣＥを送信してバッファ状態情報を報告してもよい。具体的に、前記ＵＥが前記ネットワーク側機器に１本のＢＳＲ  ＭＡＣ  ＣＥを送信する場合、前記ＵＥは、前記ＵＥに対応するバッファ状態報告要のすべてのベアラのバッファ状態情報を第１ＢＳＲ  ＭＡＣ  ＣＥで前記ネットワーク側機器に報告する。すなわち、前記第１ＢＳＲ  ＭＡＣ  ＣＥには、前記ＵＥに対応するバッファ状態報告要のすべてのベアラのバッファ状態情報が付帯される。
【００８２】
前記ＵＥが前記ネットワーク側機器に２本のＢＳＲ  ＭＡＣ  ＣＥを送信する場合、前記ＵＥは、すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告する。
【００８３】
選択可能に、前記ＵＥが、前記ＵＥに対応するすべてのベアラのバッファ状態情報を第１ＢＳＲ  ＭＡＣ  ＣＥでネットワーク側機器に報告することは、
前記ＵＥが、論理チャネル単位でバッファ状態情報を前記ネットワーク側機器に報告すること、
または、
前記ＵＥが、論理チャネル群単位でバッファ状態情報を前記ネットワーク側機器に報告すること、
または、
前記ＵＥが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【００８４】
本開示の一部実施例において、前記ＵＥは、バッファ状態報告要のすべてのベアラのバッファ状態情報を前記ネットワーク側機器に論理チャネル単位で報告してもよく、バッファ状態報告要のすべてのベアラのバッファ状態情報を前記ネットワーク側機器に論理チャネル群単位で報告してもよい。前記ＵＥは、さらに、バッファ状態報告要のすべてのベアラのバッファ状態情報を、論理チャネル単位と論理チャネル群単位を組み合わせた方式で前記ネットワーク側機器に報告してもよい。
【００８５】
前記ＵＥは、バッファ状態報告要のすべてのベアラのバッファ状態情報を前記ネットワーク側機器に論理チャネル単位で報告する場合、各論理チャネルのバッファ状態情報を前記ネットワーク側機器に報告する。図６を参照する。図６は、本開示の一部実施例におけるＢＳＲ  ＭＡＣ  ＣＥの内容概略図である。図６に示すように、前記ＵＥが論理チャネル単位でバッファ状態情報を前記ネットワーク側機器に報告する場合、前記ＢＳＲ  ＭＡＣ  ＣＥの１つのバイトには、１つの論理チャネルのバッファ状態情報（たとえば図６に示すＢｕｆｆｅｒ  Ｓｉｚｅ）が付帯される。本開示の実施例において、前記バイト毎には、各論理チャネルのＩＤも付帯される。なお、本開示の一部実施例におけるすべてのＢＳＲ  ＭＡＣ  ＣＥの概略図は、すべて、前記ＵＥが最多で４つの論理チャネルまたは４つの論理チャネル群をサポートすることを例としているが、これに限定されない。前記ＵＥによってサポートされる論理チャネルまたは論理チャネル群の数が増えると、前記ＢＳＲ  ＭＡＣ  ＣＥで論理チャネルまたは論理チャネル群のＩＤに占められるビット数も対応的に増える。
【００８６】
前記１つの論理チャネルのバッファ状態情報は、ＰＤＣＰ層およびＲＬＣ層の区分をしてもよく、ＰＤＣＰ層およびＲＬＣ層の区分をしなくてもよいが、さらに、部分的にＰＤＣＰ層およびＲＬＣ層の区分をし、部分的にＰＤＣＰ層およびＲＬＣ層の区分をしないのもよい。すなわち、前記１つの論理チャネルのバッファ状態情報は、当該論理チャネルのＰＤＣＰ層バッファデータ量とＲＬＣ層バッファデータ量の和であってもよく、それぞれ当該論理チャネルのＰＤＣＰ層バッファデータ量とＲＬＣ層バッファデータ量であってもよい。前記ＵＥは、パケット複製モードの設定／活性化が行われたベアラに対応する複数の論理チャネルに対しＰＤＣＰ層およびＲＬＣ層の区分をするが、パケット複製モードの設定／活性化が行われていないベアラに対応する論理チャネル対しＰＤＣＰ層およびＲＬＣ層の区分をしない。本実施例において、これについて具体的に限定しない。
【００８７】
前記ＵＥは、論理チャネル群単位で前記ネットワーク側機器にバッファ状態情報を報告する場合、各論理チャネル群のバッファ状態情報を前記ネットワーク側機器に報告する。図７を参照する。図７は、本開示の一部実施例における別のＢＳＲ  ＭＡＣ  ＣＥの内容概略図である。図７に示すように、前記ＵＥが論理チャネル群単位で前記ネットワーク側機器にバッファ状態情報を報告する場合、前記ＢＳＲ  ＭＡＣ  ＣＥの１つのバイトには、１つの論理チャネル群のＩＤおよび当該論理チャネル群のバッファ状態情報が付帯される。
【００８８】
前記ＵＥは、論理チャネル群単位で、パケット複製モードの設定／活性化が行われていないベアラおよびパケット複製モードの設定／活性化が行われたベアラをそれぞれ報告してもよく、混合的に報告してもよい。すなわち、パケット複製モードの設定／活性化が行われていないベアラに対応する論理チャネルと、パケット複製モードの設定／活性化が行われたベアラに対応する論理チャネルは、それぞれ、異なる論理チャネル群に属してもよく、同一の論理チャネル群に属してもよい。なお、前記ＵＥが論理チャネル群単位でバッファ状態情報を報告する場合、どの方式であっても、パケット複製モードの設定／活性化が行われた同一ベアラに対応する異なる論理チャネルがそれぞれ異なる論理チャネル群に属することを保証する必要がある。
【００８９】
前記１つの論理チャネル群のバッファ状態情報は、ＰＤＣＰ層およびＲＬＣ層の区分をしてもよく、ＰＤＣＰ層およびＲＬＣ層の区分をしなくてもよいが、さらに、部分的にＰＤＣＰ層およびＲＬＣ層の区分をし、部分的にＰＤＣＰ層およびＲＬＣ層の区分をしないのもよい。すなわち、前記１つの論理チャネル群のバッファ状態情報は、当該論理チャネル群のＰＤＣＰ層バッファデータ量とＲＬＣ層バッファデータ量の和であってもよく、それぞれ当該論理チャネル群のＰＤＣＰ層バッファデータ量とＲＬＣ層バッファデータ量であってもよい。前記ＵＥは、さらに、パケット複製モードの設定／活性化が行われたベアラに対応する論理チャネルを含む論理チャネル群に対しＰＤＣＰ層およびＲＬＣ層の区分をするが、パケット複製モードの設定／活性化が行われたベアラに対応する論理チャネルを含まない論理チャネル群に対しＰＤＣＰ層およびＲＬＣ層の区分をしないのもよい。本実施例において、これについて具体的に限定しない。
【００９０】
前記ＵＥは、論理チャネル単位と論理チャネル群単位の組み合わせ方式で、バッファ状態報告要のすべてのベアラのバッファ状態情報を前記ネットワーク側機器に報告する場合、一部の論理チャネルのバッファ状態情報を論理チャネル単位で前記ネットワーク側機器に報告し、ほかの論理チャネルのバッファ状態情報を論理チャネル群単位で前記ネットワーク側機器に報告する。なお、本開示の一部実施例においても、パケット複製モードの設定／活性化が行われた同一ベアラに対応する異なる論理チャネルがそれぞれ異なる論理チャネル群に属することを保証する必要がある。
【００９１】
図８を参照する。図８は、本開示の一部実施例における別のＢＳＲ  ＭＡＣ  ＣＥの内容概略図である。図８に示すように、前記ＢＳＲ  ＭＡＣ  ＣＥの一部のバイト（たとえば図８のバイト１〜バイトＮ（１以上の整数））には、論理チャネル群のＩＤおよび当該論理チャネル群のバッファ状態情報が付帯され、別の一部のバイト（たとえば図８のバイトＮ＋１〜バイトＮ＋Ｍ（１以上の整数））には、論理チャネルのＩＤおよび当該論理チャネルのバッファ状態情報が付帯される。
【００９２】
本開示の一部実施例において、前記ＵＥは、パケット複製モードの設定／活性化が行われていないベアラに対応する論理チャネルおよびパケット複製モードの設定／活性化が行われたベアラに対応する複数の論理チャネルのうちの１つの論理チャネルのバッファ状態情報を論理チャネル群単位で前記ネットワーク側機器に報告し、かつパケット複製モードの設定／活性化が行われたベアラに対応するほかの論理チャネルのバッファ状態情報を論理チャネル単位で前記ネットワーク側機器に報告する。本開示の一部実施例において、図８のバイト１〜バイトＮで識別される論理チャネル群のうちのすべてまたは一部の論理チャネル群は、パケット複製モードの設定／活性化が行われたベアラに対応する複数の論理チャネルのうちの１つの論理チャネルを含み、バイトＮ＋１〜バイトＮ＋Ｍで識別される論理チャネルは、パケット複製モードの設定／活性化が行われたベアラに対応するほかの論理チャネルを含む。なお、図８のバイト１〜バイトＮで識別される論理チャネル群のうちの各論理チャネル群は、パケット複製モードの設定／活性化が行われたベアラ毎に対応する複数の論理チャネルのうちの１つの論理チャネルを含む。たとえば、１つのＵＥにサポートされるベアラのうち、ベアラＡおよびベアラＢに対しパケット複製モードの設定／活性化が行われた場合、図８のあるバイト（たとえばバイト１）で識別される論理チャネル群は、前記ベアラＡに対応する複数の論理チャネルのうちの１つの論理チャネルおよび前記ベアラＢに対応する複数の論理チャネルのうちの１つの論理チャネルを含む。
【００９３】
前記ＵＥは、パケット複製モードの設定／活性化が行われていないベアラに対応する論理チャネルのバッファ状態情報を論理チャネル群単位で前記ネットワーク側機器に報告し、かつパケット複製モードの設定／活性化が行われたベアラに対応する複数の論理チャネルのバッファ状態情報を論理チャネル単位で前記ネットワーク側機器に報告する。本開示の一部実施例において、図８のバイト１〜バイトＮで識別される論理チャネル群には、パケット複製モードの設定／活性化が行われていないベアラに対応する論理チャネルのみを含み、バイトＮ＋１〜バイトＮ＋Ｍで識別される論理チャネルには、パケット複製モードの設定／活性化が行われたすべてのベアラに対応する複数の論理チャネルを含む。
【００９４】
選択可能に、前記ＵＥが、論理チャネル単位でバッファ状態情報を前記ネットワーク側機器に報告することは、
前記ＵＥが、論理チャネル単位で、該当論理チャネルに対応するＰＤＣＰ層バッファデータ量とＲＬＣ層バッファデータ量の和である各論理チャネルのバッファデータ量を前記ネットワーク側機器に報告すること、
または、
前記ＵＥが、論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、前記ＵＥが、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、前記ＵＥが、論理チャネル単位で、各論理チャネルのＰＤＣＰ層バッファデータ量およびＲＬＣ層バッファデータ量をそれぞれ前記ネットワーク側機器に報告することを含む。
【００９５】
本開示の一部実施例において、前記ＵＥが論理チャネル単位でバッファ状態情報を前記ネットワーク側機器に報告する場合、ＰＤＣＰ層およびＲＬＣ層の区分をしてもよく、ＰＤＣＰ層およびＲＬＣ層の区分をしなくてもよいが、さらに、部分的にＰＤＣＰ層およびＲＬＣ層の区分をし、部分的にＰＤＣＰ層およびＲＬＣ層の区分をしないのもよい。
【００９６】
具体的に、図９に示すように、前記ＵＥは、論理チャネル単位で、各論理チャネルのバッファデータ量を前記ネットワーク側機器に報告する。前記各論理チャネルのバッファデータ量は、該当論理チャネルに対応するＰＤＣＰ層バッファデータ量とＲＬＣ層バッファデータ量の和である。
【００９７】
図１０に示すように、前記ＵＥは、論理チャネル単位で、各論理チャネルのＰＤＣＰ層バッファデータ量およびＲＬＣ層バッファデータ量をそれぞれ前記ネットワーク側機器に報告する。
【００９８】
さらに、図１１に示すように、前記ＵＥは、パケット複製モードの設定／活性化が行われていないベアラに対応する論理チャネルに対し、論理チャネル単位で、該当論理チャネルのＰＤＣＰ層バッファデータ量とＲＬＣ層バッファデータ量の和である各論理チャネルのバッファデータ量を前記ネットワーク側機器に報告し、かつ、パケット複製モードの設定／活性化が行われたベアラに対応する複数の論理チャネルに対し、論理チャネル単位で、各論理チャネルのＰＤＣＰ層バッファデータ量およびＲＬＣ層バッファデータ量をそれぞれ前記ネットワーク側機器に報告する。なお、本開示の一部実施例において、パケット複製モードの設定／活性化が行われた同一ベアラに対応する複数の論理チャネルは、１つのＰＤＣＰ層バッファデータ量のみを付帯してもよい。また、図１２に示すように、パケット複製モードの設定／活性化が行われた同一ベアラに対応する複数の論理チャネルは、そのうちの１つの論理チャネルの番号および１つの論理チャネルのＲＬＣ層バッファデータ量のみを付帯してもよい。もちろん、ＭＡＣ  ＣＥのフォーマットの最終設計において、バイトの揃え問題を考慮して適切に調整したり取捨したりしてもよい。
【００９９】
選択可能に、前記ＵＥが、論理チャネル群単位でバッファ状態情報を前記ネットワーク側機器に報告することは、
前記ＵＥが、論理チャネル群単位で、各論理チャネル群のバッファデータ量を前記ネットワーク側機器に報告すること、
ここで、パケット複製モードの設定／活性化が行われた同一ベアラに対応する複数の論理チャネルは、それぞれ、異なる論理チャネル群に属し、
または、
前記ＵＥが、論理チャネル群単位で、各論理チャネル群のバッファデータ量を前記ネットワーク側機器に報告すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【０１００】
本開示の一部実施例において、前記ＵＥは、論理チャネル群単位で、パケット複製モードの設定／活性化が行われていないベアラおよびパケット複製モードの設定／活性化が行われたベアラをそれぞれ報告してもよく、混合的に報告してもよい。すなわち、パケット複製モードの設定／活性化が行われていないベアラに対応する論理チャネルと、ケット複製モードの設定／活性化が行われたベアラに対応する論理チャネルは、それぞれ、異なる論理チャネル群に属してもよく、同一の論理チャネル群に属してもよい。なお、前記ＵＥが論理チャネル群単位でバッファ状態情報を報告する場合、どの方式であっても、パケット複製モードの設定／活性化が行われた同一ベアラに対応する異なる論理チャネルがそれぞれ異なる論理チャネル群に属することを保証する必要がある。
【０１０１】
図１３を参照する。図１３は、本開示の一部実施例における別のＢＳＲ  ＭＡＣ  ＣＥの内容概略図である。図１３に示すように、前記ＢＳＲ  ＭＡＣ  ＣＥの各バイト（たとえば図１３のバイト１〜バイト４）には、１つの論理チャネル群のＩＤおよび当該論理チャネル群のバッファ状態情報が付帯される。
【０１０２】
本開示の一部実施例において、図１３に示すＢＳＲ  ＭＡＣ  ＣＥのすべてのバイトで識別される論理チャネル群は、すべて、パケット複製モードの設定／活性化が行われていないベアラに対応する論理チャネルと、パケット複製モードの設定／活性化が行われたベアラに対応する論理チャネルを含む。本開示の一部実施例において、前記ＵＥは、パケット複製モードの設定／活性化が行われていないベアラと、パケット複製モードの設定／活性化が行われたベアラを区分して論理チャネルの組み分けをする。すなわち、図１３に示すＢＳＲ  ＭＡＣ  ＣＥの一部のバイト（たとえばバイト１、バイト２）で識別される論理チャネル群には、パケット複製モードの設定／活性化が行われていないベアラに対応する論理チャネルのみを含むが、別の一部のバイト（たとえばバイト３、バイト４）で識別される論理チャネル群には、パケット複製モードの設定／活性化が行われたベアラに対応する論理チャネルのみを含む。
【０１０３】
選択可能に、前記ＵＥが、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
前記ＵＥが、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
前記ＵＥが、パケット複製モードの設定／活性化が行われていないベアラに対応する論理チャネルのバッファ状態情報を論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む。
【０１０４】
選択可能に、前記ＵＥが、パケット複製モードの設定／活性化が行われたベアラのバッファ状態情報を、第３ＢＳＲ  ＭＡＣ  ＣＥで前記ネットワーク側機器に報告することは、
前記ＵＥが、パケット複製モードの設定／活性化が行われたベアラに対応する複数の論理チャネルのバッファ状態情報を、論理チャネルおよび／または論理チャネル群単位で前記ネットワーク側機器に報告することを含み、
ここで、パケット複製モードの設定／活性化が行われた同一ベアラに対応する複数の論理チャネルは、それぞれ、異なる論理チャネル群に属する。
【０１０５】
本開示の一部実施例において、前記ＵＥが２つのＢＳＲ  ＭＡＣ  ＣＥでバッファ状態情報を前記ネットワーク側機器に報告する場合、前記第３ＢＳＲ  ＭＡＣ  ＣＥは、パケット複製モードの設定／活性化が行われたベアラのバッファ状態情報を報告する。具体的に、前記第３ＢＳＲ  ＭＡＣ  ＣＥは、論理チャネル単位および／または論理チャネル群単位の方式で報告できる。すなわち、パケット複製モードの設定／活性化が行われたすべてのベアラに対応する複数の論理チャネルのバッファ状態情報を論理チャネル単位で報告してもよく、パケット複製モードの設定／活性化が行われたすべてのベアラに対応する複数の論理チャネルのバッファ状態情報を論理チャネル群単位で報告してもよく、さらに、論理チャネル単位と論理チャネル群単位の組み合わせ方式で、前記ネットワーク側機器に報告してもよい。
【０１０６】
選択可能に、前記ＵＥは、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
前記ＵＥは、論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する。
【０１０７】
本開示の一部実施例において、前記ＵＥが論理チャネル群単位でバッファ状態情報を前記ネットワーク側機器に報告する場合、ＰＤＣＰ層およびＲＬＣ層の区分をしてもよく、ＰＤＣＰ層およびＲＬＣ層の区分をしなくてもよい。
【０１０８】
具体的に、図１４に示すように、前記ＵＥは、論理チャネル群単位で、各論理チャネル群のバッファデータ量を前記ネットワーク側機器に報告する。前記各論理チャネル群のバッファデータ量は、該当論理チャネル群に対応するＰＤＣＰ層バッファデータ量とＲＬＣ層バッファデータ量の和である。
【０１０９】
図１５に示すように、前記ＵＥは、論理チャネル群単位で、各論理チャネル群のＰＤＣＰ層バッファデータ量およびＲＬＣ層バッファデータ量をそれぞれ前記ネットワーク側機器に報告する。
【０１１０】
選択可能に、前記ＵＥは、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
前記ＵＥは、論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する。
【０１１１】
選択可能に、パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る。
【０１１２】
本開示の一部実施例において、パケット複製モードの設定／活性化が行われた同一ベアラに対応する複数の論理チャネルのうちの各論理チャネルの伝送データが同じであるため、各論理チャネルのＲＬＣ層バッファデータ量の特定に際して、すべて、当該ベアラに対応する複数の論理チャネルのＲＬＣ層データ量の最小値を取る。
【０１１３】
選択可能に、前記ＵＥは、パケット複製モードの設定／活性化が行われた同一ベアラに対応する複数の論理チャネルのうちの１つの論理チャネルのみのバッファデータ量を前記ネットワーク側機器に報告する。
【０１１４】
本開示の一部実施例において、パケット複製モードの設定／活性化が行われた同一ベアラに対応する複数の論理チャネルのうちの各論理チャネルの伝送データが同じであるため、そのうちの１つの論理チャネルのみのバッファデータ量を報告してもよい。
【０１１５】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥにそれぞれ対応するＭＡＣサブヘッダの各々には、ＬＣＩＤおよび／または長さフィールド指示情報が付帯される。
【０１１６】
本開示の一部実施例において、前記ＬＣＩＤおよび／または長さフィールド指示情報は、ともに、ＢＳＲ  ＭＡＣ  ＣＥのＭＡＣサブヘッダに付帯される。
【０１１７】
本開示の一部実施例のバッファ状態報告方法において、ＵＥは、バッファ状態報告トリガー条件を満たすかを判断し、前記ＵＥが前記バッファ状態報告トリガー条件を満たすのであれば、バッファ状態情報をネットワーク側機器に報告する。ここで、パケット複製モードの設定／活性化が行われた同一ベアラに対応する複数の論理チャネルのバッファ状態情報は、それぞれ独自に報告される。このように、前記ネットワーク側機器が、パケット複製モードの設定／活性化が行われたベアラに対応するデータ量を正確に取得でき、当該ベアラに対応する複数の論理チャネルに対し複数の異なる搬送波でそれぞれ比較的正確なスケジューリングを行い、当該ベアラに対応する複数の論理チャネルに対応するデータが複数の異なる搬送波で伝送されることを保証でき、リソース割当の性能を高め、リソース割当の不十分や無駄遣いを避ける。
【０１１８】
図１６を参照する。図１６は、本開示の一部実施例におけるバッファ状態報告の処理方法のフローチャートである。図１６に示すように、前記方法は、以下のステップを含む。
【０１１９】
ステップ１６０１において、ネットワーク側機器は、ＵＥから報告されたバッファ状態情報を受信する。ここで、パケット複製モードの設定／活性化が行われた同一ベアラに対応する複数の論理チャネルのバッファ状態情報は、それぞれ独自に報告される。
【０１２０】
ステップ１６０２において、前記ネットワーク側機器は、前記バッファ状態情報に基づいて、パケット複製モードの設定／活性化が行われた同一ベアラに対応する複数の論理チャネルのデータを、それぞれ、異なる搬送波で伝送するようにスケジューリングする。
【０１２１】
選択可能に、前記ネットワーク側機器がＵＥから報告されたバッファ状態情報を受信することは、
前記ネットワーク側機器が、前記ＵＥから報告され、前記ＵＥに対応するバッファ状態報告要のすべてのベアラのバッファ状態情報を第１ＢＳＲ  ＭＡＣ  ＣＥで受信すること、
または、
前記ネットワーク側機器が、前記ＵＥから報告され、すべてのバッファ状態報告要でかつパケット複製モードの設定／活性化が行われていないベアラのバッファ状態情報を、第２ＢＳＲ  ＭＡＣ  ＣＥで受信し、前記ＵＥから報告され、すべてのバッファ状態報告要でかつパケット複製モードの設定／活性化が行われたベアラのバッファ状態情報を、第３ＢＳＲ  ＭＡＣ  ＣＥで受信することを含む。
【０１２２】
選択可能に、前記ネットワーク側機器が、前記ＵＥから報告され、前記ＵＥに対応するバッファ状態報告要のすべてのベアラのバッファ状態情報を第１ＢＳＲ  ＭＡＣ  ＣＥで受信することは、
前記ネットワーク側機器が、前記ＵＥから論理チャネル単位で報告されたバッファ状態情報を受信すること、
または、
前記ネットワーク側機器が、前記ＵＥから論理チャネル群単位で報告されたバッファ状態情報を受信すること、
または、
前記ネットワーク側機器が、前記ＵＥから論理チャネル単位で報告された一部の論理チャネルのバッファ状態情報、および、論理チャネル群単位で報告されたほかの論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０１２３】
選択可能に、前記ネットワーク側機器が、前記ＵＥから論理チャネル単位で報告されたバッファ状態情報を受信することは、
前記ネットワーク側機器が、前記ＵＥから論理チャネル単位で報告され、該当論理チャネルに対応するＰＤＣＰ層バッファデータ量とＲＬＣ層バッファデータ量の和である各論理チャネルのバッファデータ量を受信すること、
または、
前記ネットワーク側機器が、前記ＵＥから論理チャネル単位でそれぞれ報告された各論理チャネルのＰＤＣＰ層バッファデータ量およびＲＬＣ層バッファデータ量を受信すること、
または、
パケット複製モードの設定／活性化が行われていないベアラに対応する論理チャネルに対し、前記ネットワーク側機器が、前記ＵＥから論理チャネル単位で報告され、該当論理チャネルのＰＤＣＰ層バッファデータ量とＲＬＣ層バッファデータ量の和である各論理チャネルのバッファデータ量を受信し、パケット複製モードの設定／活性化が行われたベアラに対応する複数の論理チャネルに対し、前記ネットワーク側機器が、前記ＵＥから論理チャネル単位で報告された各論理チャネルのＰＤＣＰ層バッファデータ量およびＲＬＣ層バッファデータ量を受信することを含む。
【０１２４】
選択可能に、前記ネットワーク側機器が、前記ＵＥから論理チャネル群単位で報告されたバッファ状態情報を受信することは、
前記ネットワーク側機器が、前記ＵＥから論理チャネル群単位で報告された各論理チャネル群のバッファデータ量を受信すること、
ここで、パケット複製モードの設定／活性化が行われた同一ベアラに対応する複数の論理チャネルは、それぞれ、異なる論理チャネル群に属し、
または、
前記ネットワーク側機器が、前記ＵＥから論理チャネル群単位で報告された各論理チャネル群のバッファデータ量を受信すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【０１２５】
選択可能に、前記ネットワーク側機器が、前記ＵＥから論理チャネル単位で報告された一部の論理チャネルのバッファ状態情報、および、論理チャネル群単位で報告されたほかの論理チャネルのバッファ状態情報を受信することは、
前記ネットワーク側機器が、前記ＵＥから論理チャネル群単位で報告され、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を受信し、論理チャネル単位で報告されたパケット複製モードの設定／活性化が行われたベアラに対応するほかの論理チャネルのバッファ状態情報を受信すること、
または、
前記ネットワーク側機器が、前記ＵＥから論理チャネル群単位で報告され、パケット複製モードの設定／活性化が行われていないベアラに対応する論理チャネルのバッファ状態情報を受信し、かつ、論理チャネル単位で報告されたパケット複製モードの設定／活性化が行われたベアラに対応する複数の論理チャネルのバッファ状態情報を受信することを含む。
【０１２６】
選択可能に、前記ネットワーク側機器が、前記ＵＥから報告され、パケット複製モードの設定／活性化が行われたベアラのバッファ状態情報を、第３ＢＳＲ  ＭＡＣ  ＣＥで受信することは、
前記ネットワーク側機器が、前記ＵＥから論理チャネルおよび／または論理チャネル群単位で報告され、パケット複製モードの設定／活性化が行われたベアラに対応する複数の論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０１２７】
選択可能に、前記ネットワーク側機器が、前記ＵＥから論理チャネル群単位で報告されたバッファ状態情報を受信する場合、前記ＵＥから報告され、該当論理チャネル群のＰＤＣＰ層バッファデータ量とＲＬＣ層バッファデータ量の和である各論理チャネル群のバッファデータ量を受信し、
または、
前記ネットワーク側機器が、前記ＵＥから論理チャネル群単位で報告されたバッファ状態情報を受信する場合、前記ＵＥからそれぞれ報告された各論理チャネル群のＰＤＣＰ層バッファデータ量およびＲＬＣ層バッファデータ量を受信する。
【０１２８】
選択可能に、前記ネットワーク側機器が、前記ＵＥから論理チャネル単位で報告されたバッファ状態情報を受信する場合、前記ＵＥから報告され、該当論理チャネルのＰＤＣＰ層バッファデータ量とＲＬＣ層バッファデータ量の和である各論理チャネルのバッファデータ量を受信し、
または、
前記ネットワーク側機器が、前記ＵＥから論理チャネル単位で報告されたバッファ状態情報を受信する場合、前記ＵＥからそれぞれ報告された各論理チャネルのＰＤＣＰ層バッファデータ量およびＲＬＣ層バッファデータ量を受信する。
【０１２９】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０１３０】
選択可能に、前記方法において、前記ネットワーク側機器が、前記ＵＥに対し論理チャネルと搬送波とのマッピング関係を設定することをさらに含む。
【０１３１】
なお、本実施例は、図１〜図１５に示す実施例に対応するネットワーク側機器側の実施例である。上記のネットワーク側機器によって実行される関連ステップは、図１〜図１５に示す実施例における関連説明を参照されたく、ここでは繰り返して記載しない。
【０１３２】
図１７を参照する。図１７は、本開示の一部実施例におけるＵＥの構造概略図である。図１７に示すように、前記ＵＥは、
前記ＵＥがバッファ状態報告トリガー条件を満たすかを判断する判断モジュール１７０１と、
前記ＵＥが前記バッファ状態報告トリガー条件を満たすのであれば、バッファ状態情報をネットワーク側機器に報告する報告モジュール１７０２と、
ここで、パケット複製モードの設定／活性化が行われた同一ベアラに対応する複数の論理チャネルのバッファ状態情報は、それぞれ独自に報告され、
を含む。
【０１３３】
選択可能に、前記判断モジュールによって、前記ＵＥがバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記判断モジュールによって、前記ＵＥが前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記判断モジュールによって、前記ＵＥが前記バッファ状態報告トリガー条件を満たすと特定することを含む。
【０１３４】
選択可能に、前記報告モジュール１７０２は、
前記ＵＥに対応するバッファ状態報告要のすべてのベアラのバッファ状態情報を第１ＢＳＲ  ＭＡＣ  ＣＥで前記ネットワーク側機器に報告し、
または、
すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告する。
【０１３５】
選択可能に、前記報告モジュール１７０２が、前記ＵＥに対応するバッファ状態報告要のすべてのベアラのバッファ状態情報を第１ＢＳＲ  ＭＡＣ  ＣＥでネットワーク側機器に報告することは、
論理チャネル単位でバッファ状態情報を前記ネットワーク側機器に報告すること、
または、
論理チャネル群単位でバッファ状態情報を前記ネットワーク側機器に報告すること、
または、
一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０１３６】
選択可能に、前記報告モジュール１７０２が、論理チャネル単位でバッファ状態情報を前記ネットワーク側機器に報告することは、
論理チャネル単位で、該当論理チャネルに対応するＰＤＣＰ層バッファデータ量とＲＬＣ層バッファデータ量の和である各論理チャネルのバッファデータ量を前記ネットワーク側機器に報告すること、
または、
論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、前記報告モジュール１７０２が、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、前記報告モジュール１７０２が、論理チャネル単位で、各論理チャネルのＰＤＣＰ層バッファデータ量およびＲＬＣ層バッファデータ量をそれぞれ前記ネットワーク側機器に報告することを含む。
【０１３７】
選択可能に、前記報告モジュール１７０２が、論理チャネル群単位でバッファ状態情報を前記ネットワーク側機器に報告することは、
論理チャネル群単位で、各論理チャネル群のバッファデータ量を前記ネットワーク側機器に報告すること、
ここで、パケット複製モードの設定／活性化が行われた同一ベアラに対応する複数の論理チャネルは、それぞれ、異なる論理チャネル群に属し、
または、
論理チャネル群単位で、各論理チャネル群のバッファデータ量を前記ネットワーク側機器に報告すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【０１３８】
選択可能に、前記報告モジュール１７０２が、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
パケット複製モードの設定／活性化が行われていないベアラに対応する論理チャネルのバッファ状態情報を論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む。
【０１３９】
選択可能に、前記報告モジュール１７０２が、パケット複製モードの設定／活性化が行われたベアラのバッファ状態情報を、第３ＢＳＲ  ＭＡＣ  ＣＥで前記ネットワーク側機器に報告することは、
パケット複製モードの設定／活性化が行われたベアラに対応する複数の論理チャネルのバッファ状態情報を、論理チャネルおよび／または論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０１４０】
選択可能に、前記報告モジュール１７０２は、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
前記報告モジュール１７０２は、論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する。
【０１４１】
選択可能に、前記報告モジュール１７０２は、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
前記報告モジュール１７０２は、論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する。
【０１４２】
選択可能に、パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る。
【０１４３】
選択可能に、前記報告モジュール１７０２は、パケット複製モードの設定／活性化が行われた同一ベアラに対応する複数の論理チャネルのうちの１つの論理チャネルのみのバッファデータ量を前記ネットワーク側機器に報告する。
【０１４４】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０１４５】
なお、本実施例は、図１〜図１５に示す実施例におけるＵＥであってもよい。図１〜図１５に示す実施例におけるＵＥの任意の実施形態は、すべて本実施例における上記ＵＥによって実現可能であり、同一の効果を奏することもできるため、ここでは繰り返して記載しない。
【０１４６】
図１８を参照する。図１８は、本開示の一部実施例におけるネットワーク側機器の構造概略図である。図１８に示すように、前記ネットワーク側機器は、
ＵＥから報告されたバッファ状態情報を受信する受信モジュール１８０１と、
前記バッファ状態情報に基づいて、パケット複製モードの設定／活性化が行われた同一ベアラに対応する複数の論理チャネルのデータを、それぞれ、異なる搬送波で伝送するようにスケジューリングするスケジューリングモジュール１８０２と、
ここで、パケット複製モードの設定／活性化が行われた同一ベアラに対応する複数の論理チャネルのバッファ状態情報は、それぞれ独自に報告され、
を含む。
【０１４７】
選択可能に、前記受信モジュール１８０１は、
前記ＵＥから報告され、前記ＵＥに対応するバッファ状態報告要のすべてのベアラのバッファ状態情報を第１ＢＳＲ  ＭＡＣ  ＣＥで受信し、
または、
前記ＵＥから報告され、すべてのバッファ状態報告要でかつパケット複製モードの設定／活性化が行われていないベアラのバッファ状態情報を、第２ＢＳＲ  ＭＡＣ  ＣＥで受信し、前記ＵＥから報告され、すべてのバッファ状態報告要でかつパケット複製モードの設定／活性化が行われたベアラのバッファ状態情報を、第３ＢＳＲ  ＭＡＣ  ＣＥで受信する。
【０１４８】
選択可能に、前記受信モジュール１８０１が、前記ＵＥから報告され、前記ＵＥに対応するバッファ状態報告要のすべてのベアラのバッファ状態情報を第１ＢＳＲ  ＭＡＣ  ＣＥで受信することは、
前記ＵＥから論理チャネル単位で報告されたバッファ状態情報を受信すること、
または、
前記ＵＥから論理チャネル群単位で報告されたバッファ状態情報を受信すること、
または、
前記ＵＥから論理チャネル単位で報告された一部の論理チャネルのバッファ状態情報、および、論理チャネル群単位で報告されたほかの論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０１４９】
選択可能に、前記受信モジュール１８０１が、前記ＵＥから論理チャネル単位で報告されたバッファ状態情報を受信することは、
前記ＵＥから論理チャネル単位で報告され、該当論理チャネルに対応するＰＤＣＰ層バッファデータ量とＲＬＣ層バッファデータ量の和である各論理チャネルのバッファデータ量を受信すること、
または、
前記ＵＥから論理チャネル単位でそれぞれ報告された各論理チャネルのＰＤＣＰ層バッファデータ量およびＲＬＣ層バッファデータ量を受信すること、
または、
パケット複製モードの設定／活性化が行われていないベアラに対応する論理チャネルに対し、前記受信モジュール１８０１が、前記ＵＥから論理チャネル単位で報告され、該当論理チャネルのＰＤＣＰ層バッファデータ量とＲＬＣ層バッファデータ量の和である各論理チャネルのバッファデータ量を受信し、パケット複製モードの設定／活性化が行われたベアラに対応する複数の論理チャネルに対し、前記受信モジュール１８０１が、前記ＵＥから論理チャネル単位で報告された各論理チャネルのＰＤＣＰ層バッファデータ量およびＲＬＣ層バッファデータ量を受信することを含む。
【０１５０】
選択可能に、前記受信モジュール１８０１が、前記ＵＥから論理チャネル群単位で報告されたバッファ状態情報を受信することは、
前記ＵＥから論理チャネル群単位で報告された各論理チャネル群のバッファデータ量を受信することを含み、ここで、パケット複製モードの設定／活性化が行われた同一ベアラに対応する複数の論理チャネルは、それぞれ、異なる論理チャネル群に属し、
または、
前記ＵＥから論理チャネル群単位で報告された各論理チャネル群のバッファデータ量を受信することを含み、ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属する。
【０１５１】
選択可能に、前記受信モジュール１８０１が、前記ＵＥから論理チャネル単位で報告された一部の論理チャネルのバッファ状態情報、および、論理チャネル群単位で報告されたほかの論理チャネルのバッファ状態情報を受信することは、
前記ＵＥから論理チャネル群単位で報告され、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を受信し、論理チャネル単位で報告されたパケット複製モードの設定／活性化が行われたベアラに対応するほかの論理チャネルのバッファ状態情報を受信すること、
または、
前記ＵＥから論理チャネル群単位で報告され、パケット複製モードの設定／活性化が行われていないベアラに対応する論理チャネルのバッファ状態情報を受信し、かつ、論理チャネル単位で報告されたパケット複製モードの設定／活性化が行われたベアラに対応する複数の論理チャネルのバッファ状態情報を受信することを含む。
【０１５２】
選択可能に、前記受信モジュール１８０１が、前記ＵＥから報告され、パケット複製モードの設定／活性化が行われたベアラのバッファ状態情報を、第３ＢＳＲ  ＭＡＣ  ＣＥで受信することは、
前記ＵＥから論理チャネルおよび／または論理チャネル群単位で報告され、パケット複製モードの設定／活性化が行われたベアラに対応する複数の論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０１５３】
選択可能に、前記受信モジュール１８０１は、前記ＵＥから論理チャネル群単位で報告されたバッファ状態情報を受信する場合、前記ＵＥから報告され、該当論理チャネル群のＰＤＣＰ層バッファデータ量とＲＬＣ層バッファデータ量の和である各論理チャネル群のバッファデータ量を受信し、
または、
前記受信モジュール１８０１は、前記ＵＥから論理チャネル群単位で報告されたバッファ状態情報を受信する場合、前記ＵＥからそれぞれ報告された各論理チャネル群のＰＤＣＰ層バッファデータ量およびＲＬＣ層バッファデータ量を受信する。
【０１５４】
選択可能に、前記受信モジュール１８０１は、前記ＵＥから論理チャネル単位で報告されたバッファ状態情報を受信する場合、前記ＵＥから報告され、該当論理チャネルのＰＤＣＰ層バッファデータ量とＲＬＣ層バッファデータ量の和である各論理チャネルのバッファデータ量を受信し、
または、
前記受信モジュール１８０１は、前記ＵＥから論理チャネル単位で報告されたバッファ状態情報を受信する場合、前記ＵＥからそれぞれ報告された各論理チャネルのＰＤＣＰ層バッファデータ量およびＲＬＣ層バッファデータ量を受信する。
【０１５５】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０１５６】
選択可能に、前記スケジューリングモジュール１８０２は、さらに、前記ＵＥに対し論理チャネルと搬送波とのマッピング関係を設定する。
【０１５７】
なお、本実施例における上記ネットワーク側機器は、図１〜図１５に示す実施例におけるネットワーク側機器であってもよい。図１〜図１５に示す実施例におけるネットワーク側機器の任意の実施形態は、すべて本実施例における上記ネットワーク側機器によって実現可能であり、同一の効果を奏することもできるため、ここでは繰り返して記載しない。  
【０１５８】
図１９を参照する。図１９は、本開示の一部実施例におけるＵＥの構造概略図である。図１９に示すように、前記ＵＥは、プロセッサ１９００と、トランシーバ１９１０と、メモリ１９２０と、ユーザインタフェース１９３０と、バスインタフェースとを含む。
プロセッサ１９００は、メモリ１９２０から１つまたは複数のプログラムを読み取ることによって、
バッファ状態報告トリガー条件を満たすかを判断するプロセスと、
前記ＵＥが前記バッファ状態報告トリガー条件を満たすのであれば、バッファ状態情報をネットワーク側機器に報告するプロセスとを実行し、
ここで、パケット複製モードの設定／活性化が行われた同一ベアラに対応する複数の論理チャネルのバッファ状態情報は、それぞれ独自に報告される。
トランシーバ１９１０は、プロセッサ１９００による制御でデータを送受信する。
【０１５９】
図１９において、バスアーキテクチャは、任意数の相互接続するバスとブリッジを含み、具体的に、プロセッサ１９００をはじめとする１つ又は複数のプロセッサとメモリ１９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１９１０は、複数の部品であってもよく、即ち送信機と受信機を含み、伝送媒体でほかの各種類の装置と通信するユニットとして提供される。ユーザ端末によっては、ユーザインタフェース１９３０は、内部接続や外部接続する機器のインタフェースであってもよい。接続する機器は、キーパッド、ディスプレイ、スピーカ、マイクロフォン、ジョイスティックなどを含むが、それらに限られない。
【０１６０】
プロセッサ１９００は、バスアーキテクチャと通常の処理を管理する。メモリ１９２０は、プロセッサ１９００による作業時に使用されるデータを記憶できる。
【０１６１】
選択可能に、前記プロセッサ１９００がバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記プロセッサ１９００が、前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記プロセッサ１９００が、前記バッファ状態報告トリガー条件を満たすと特定することを含む。
【０１６２】
選択可能に、前記プロセッサ１９００がバッファ状態情報をネットワーク側機器に報告することは、
前記ＵＥに対応するバッファ状態報告要のすべてのベアラのバッファ状態情報を第１ＢＳＲ  ＭＡＣ  ＣＥで前記ネットワーク側機器に報告すること、
または、
すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告することを含む。
【０１６３】
選択可能に、前記プロセッサ１９００が、前記ＵＥに対応するバッファ状態報告要のすべてのベアラのバッファ状態情報を第１ＢＳＲ  ＭＡＣ  ＣＥでネットワーク側機器に報告することは、
論理チャネル単位でバッファ状態情報を前記ネットワーク側機器に報告すること、
または、
論理チャネル群単位でバッファ状態情報を前記ネットワーク側機器に報告すること、
または、
一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０１６４】
選択可能に、前記プロセッサ１９００が、論理チャネル単位でバッファ状態情報を前記ネットワーク側機器に報告することは、
論理チャネル単位で、該当論理チャネルに対応するＰＤＣＰ層バッファデータ量とＲＬＣ層バッファデータ量の和である各論理チャネルのバッファデータ量を前記ネットワーク側機器に報告すること、
または、
論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、論理チャネル単位で、各論理チャネルのＰＤＣＰ層バッファデータ量およびＲＬＣ層バッファデータ量をそれぞれ前記ネットワーク側機器に報告することを含む。
【０１６５】
選択可能に、前記プロセッサ１９００が、論理チャネル群単位でバッファ状態情報を前記ネットワーク側機器に報告することは、
論理チャネル群単位で、各論理チャネル群のバッファデータ量を前記ネットワーク側機器に報告することを含み、ここで、パケット複製モードの設定／活性化が行われた同一ベアラに対応する複数の論理チャネルは、それぞれ、異なる論理チャネル群に属し、
または、
論理チャネル群単位で、各論理チャネル群のバッファデータ量を前記ネットワーク側機器に報告することを含み、ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属する。
【０１６６】
選択可能に、前記プロセッサ１９００が、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
パケット複製モードの設定／活性化が行われていないベアラに対応する論理チャネルのバッファ状態情報を論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む。
【０１６７】
選択可能に、前記プロセッサ１９００が、パケット複製モードの設定／活性化が行われたベアラのバッファ状態情報を、第３ＢＳＲ  ＭＡＣ  ＣＥで前記ネットワーク側機器に報告することは、
パケット複製モードの設定／活性化が行われたベアラに対応する複数の論理チャネルのバッファ状態情報を、論理チャネルおよび／または論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０１６８】
選択可能に、前記プロセッサ１９００は、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
前記プロセッサ１９００は、論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する。
【０１６９】
選択可能に、前記ＵＥは、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
前記ＵＥは、論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する。
【０１７０】
選択可能に、パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る。
【０１７１】
選択可能に、前記プロセッサ１９００が、パケット複製モードの設定／活性化が行われた同一ベアラに対応する複数の論理チャネルのうちの１つの論理チャネルのみのバッファデータ量を前記ネットワーク側機器に報告する。
【０１７２】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０１７３】
なお、本実施例における上記ＵＥは、図１〜図１５に示す実施例におけるＵＥであってもよい。図１〜図１５に示す実施例におけるＵＥの任意の実施形態は、すべて本実施例における上記ＵＥによって実現可能であり、同一の効果を奏することもできるため、ここでは繰り返して記載しない。
【０１７４】
図２０を参照する。図２０は、本開示の一部実施例におけるネットワーク側機器の構造概略図である。図２０に示すように、前記ネットワーク側機器は、プロセッサ２０００と、トランシーバ２０１０と、メモリ２０２０と、ユーザインタフェース２０３０と、バスインタフェースとを含む。
プロセッサ２０００は、メモリ２０２０から１つまたは複数のプログラムを読み取ることによって、
ＵＥから報告されたバッファ状態情報を受信するプロセスと、
前記バッファ状態情報に基づいて、パケット複製モードの設定／活性化が行われた同一ベアラに対応する複数の論理チャネルのデータを、それぞれ、異なる搬送波で伝送するようにスケジューリングするプロセスとを実行し、
ここで、パケット複製モードの設定／活性化が行われた同一ベアラに対応する複数の論理チャネルのバッファ状態情報は、それぞれ独自に報告される。
トランシーバ２０１０は、プロセッサ２０００による制御でデータを送受信する。
【０１７５】
図２０において、バスアーキテクチャは、任意数の相互接続するバスとブリッジを含み、具体的に、プロセッサ２０００をはじめとする１つ又は複数のプロセッサとメモリ２０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２０１０は、複数の部品であってもよく、即ち送信機と受信機を含み、伝送媒体でほかの各種類の装置と通信するユニットとして提供される。ユーザ端末によっては、ユーザインタフェース２０３０は、内部接続や外部接続する機器のインタフェースであってもよい。接続する機器は、キーパッド、ディスプレイ、スピーカ、マイクロフォン、ジョイスティックなどを含むが、それらに限られない。
【０１７６】
プロセッサ２０００は、バスアーキテクチャと通常の処理を管理する。メモリ２０２０は、プロセッサ２０００による作業時に使用されるデータを記憶できる。
【０１７７】
選択可能に、前記プロセッサ２０００は、
前記ＵＥから報告され、前記ＵＥに対応するバッファ状態報告要のすべてのベアラのバッファ状態情報を第１ＢＳＲ  ＭＡＣ  ＣＥで受信し、
または、
前記ＵＥから報告され、すべてのバッファ状態報告要でかつパケット複製モードの設定／活性化が行われていないベアラのバッファ状態情報を、第２ＢＳＲ  ＭＡＣ  ＣＥで受信し、前記ＵＥから報告され、すべてのバッファ状態報告要でかつパケット複製モードの設定／活性化が行われたベアラのバッファ状態情報を、第３ＢＳＲ  ＭＡＣ  ＣＥで受信する。
【０１７８】
選択可能に、前記プロセッサ２０００が、前記ＵＥから報告され、前記ＵＥに対応するバッファ状態報告要のすべてのベアラのバッファ状態情報を第１ＢＳＲ  ＭＡＣ  ＣＥで受信することは、
前記ＵＥから論理チャネル単位で報告されたバッファ状態情報を受信すること、
または、
前記ＵＥから論理チャネル群単位で報告されたバッファ状態情報を受信すること、
または、
前記ＵＥから論理チャネル単位で報告された一部の論理チャネルのバッファ状態情報、および、論理チャネル群単位で報告されたほかの論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０１７９】
選択可能に、前記プロセッサ２０００が、前記ＵＥから論理チャネル単位で報告されたバッファ状態情報を受信することは、
前記ＵＥから論理チャネル単位で報告され、該当論理チャネルに対応するＰＤＣＰ層バッファデータ量とＲＬＣ層バッファデータ量の和である各論理チャネルのバッファデータ量を受信すること、
または、
前記ＵＥから論理チャネル単位でそれぞれ報告された各論理チャネルのＰＤＣＰ層バッファデータ量およびＲＬＣ層バッファデータ量を受信すること、
または、
パケット複製モードの設定／活性化が行われていないベアラに対応する論理チャネルに対し、前記プロセッサ２０００が、前記ＵＥから論理チャネル単位で報告され、該当論理チャネルのＰＤＣＰ層バッファデータ量とＲＬＣ層バッファデータ量の和である各論理チャネルのバッファデータ量を受信し、パケット複製モードの設定／活性化が行われたベアラに対応する複数の論理チャネルに対し、前記プロセッサ２０００が、前記ＵＥから論理チャネル単位で報告された各論理チャネルのＰＤＣＰ層バッファデータ量およびＲＬＣ層バッファデータ量を受信することを含む。
【０１８０】
選択可能に、前記プロセッサ２０００が、前記ＵＥから論理チャネル群単位で報告されたバッファ状態情報を受信することは、
前記ＵＥから論理チャネル群単位で報告された各論理チャネル群のバッファデータ量を受信することを含み、ここで、パケット複製モードの設定／活性化が行われた同一ベアラに対応する複数の論理チャネルは、それぞれ、異なる論理チャネル群に属し、
または、
前記ＵＥから論理チャネル群単位で報告された各論理チャネル群のバッファデータ量を受信すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【０１８１】
選択可能に、前記プロセッサ２０００が、前記ＵＥから論理チャネル単位で報告された一部の論理チャネルのバッファ状態情報、および、論理チャネル群単位で報告されたほかの論理チャネルのバッファ状態情報を受信することは、
前記ＵＥから論理チャネル群単位で報告され、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を受信し、論理チャネル単位で報告されたパケット複製モードの設定／活性化が行われたベアラに対応するほかの論理チャネルのバッファ状態情報を受信すること、
または、
前記ＵＥから論理チャネル群単位で報告され、パケット複製モードの設定／活性化が行われていないベアラに対応する論理チャネルのバッファ状態情報を受信し、かつ、論理チャネル単位で報告されたパケット複製モードの設定／活性化が行われたベアラに対応する複数の論理チャネルのバッファ状態情報を受信することを含む。
【０１８２】
選択可能に、前記プロセッサ２０００が、前記ＵＥから報告され、パケット複製モードの設定／活性化が行われたベアラのバッファ状態情報を、第３ＢＳＲ  ＭＡＣ  ＣＥで受信することは、
前記ＵＥから論理チャネルおよび／または論理チャネル群単位で報告され、パケット複製モードの設定／活性化が行われたベアラに対応する複数の論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０１８３】
選択可能に、前記プロセッサ２０００は、前記ＵＥから論理チャネル群単位で報告されたバッファ状態情報を受信する場合、前記ＵＥから報告され、該当論理チャネル群のＰＤＣＰ層バッファデータ量とＲＬＣ層バッファデータ量の和である各論理チャネル群のバッファデータ量を受信し、
または、
前記プロセッサ２０００は、前記ＵＥから論理チャネル群単位で報告されたバッファ状態情報を受信する場合、前記ＵＥからそれぞれ報告された各論理チャネル群のＰＤＣＰ層バッファデータ量およびＲＬＣ層バッファデータ量を受信する。
【０１８４】
選択可能に、前記プロセッサ２０００は、前記ＵＥから論理チャネル単位で報告されたバッファ状態情報を受信する場合、前記ＵＥから報告され、該当論理チャネルのＰＤＣＰ層バッファデータ量とＲＬＣ層バッファデータ量の和である各論理チャネルのバッファデータ量を受信し、
または、
前記プロセッサ２０００は、前記ＵＥから論理チャネル単位で報告されたバッファ状態情報を受信する場合、前記ＵＥからそれぞれ報告された各論理チャネルのＰＤＣＰ層バッファデータ量およびＲＬＣ層バッファデータ量を受信する。
【０１８５】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０１８６】
選択可能に、前記プロセッサ２０００は、さらに、前記ＵＥに対し論理チャネルと搬送波とのマッピング関係を設定する。
【０１８７】
なお、本実施例における上記ネットワーク側機器は、図１〜図１５に示す実施例におけるネットワーク側機器であってもよい。図１〜図１５に示す実施例におけるネットワーク側機器の任意の実施形態は、すべて本実施例における上記ネットワーク側機器によって実現可能であり、同一の効果を奏することもできるため、ここでは繰り返して記載しない。
【０１８８】
本開示は、コンピュータによって実行可能な１つまたは複数のプログラムが記憶されているコンピュータ読み取り可能な記憶媒体をさらに提供する。
前記１つまたは複数のプログラムが前記コンピュータによって実行されると、前記コンピュータは、ＵＥがバッファ状態報告トリガー条件を満たすかを判断する手順と、
前記ＵＥが前記バッファ状態報告トリガー条件を満たすのであれば、バッファ状態情報をネットワーク側機器に報告する手順とを実行し、
ここで、パケット複製モードの設定／活性化が行われた同一ベアラに対応する複数の論理チャネルのバッファ状態情報は、それぞれ独自に報告される。
【０１８９】
選択可能に、前記ＵＥがバッファ状態報告トリガー条件を満たすかを判断することは、
ネットワーク側機器が前記ＵＥの少なくとも１つのベアラに対しパケット複製モードの設定／活性化、または設定解除／非活性化を行う場合、前記ＵＥが前記バッファ状態報告トリガー条件を満たすと特定すること、
または、
パケット複製モードの設定／活性化が行われた前記ＵＥの少なくとも１つのベアラに対応する複数の論理チャネルのバッファ状態差が所定の閾値を超えた場合、前記ＵＥが前記バッファ状態報告トリガー条件を満たすと特定することを含む。
【０１９０】
選択可能に、前記のバッファ状態情報をネットワーク側機器に報告することは、
前記ＵＥに対応するバッファ状態報告要のすべてのベアラのバッファ状態情報を第１ＢＳＲ  ＭＡＣ  ＣＥで前記ネットワーク側機器に報告すること、
または、
すべてのバッファ状態報告要でかつパケット複製モードの設定／活性化が行われていないベアラのバッファ状態情報を、第２ＢＳＲ  ＭＡＣ  ＣＥで前記ネットワーク側機器に報告し、すべてのバッファ状態報告要でかつパケット複製モードの設定／活性化が行われたベアラのバッファ状態情報を、第３ＢＳＲ  ＭＡＣ  ＣＥで前記ネットワーク側機器に報告することを含む。
【０１９１】
選択可能に、前記ＵＥに対応するバッファ状態報告要のすべてのベアラのバッファ状態情報を第１ＢＳＲ  ＭＡＣ  ＣＥでネットワーク側機器に報告することは、
論理チャネル単位でバッファ状態情報を前記ネットワーク側機器に報告すること、
または、
論理チャネル群単位でバッファ状態情報を前記ネットワーク側機器に報告すること、
または、
一部の論理チャネルのバッファ状態情報を論理チャネル単位で前記ネットワーク側機器に報告し、ほかの論理チャネルのバッファ状態情報を論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０１９２】
選択可能に、論理チャネル単位でバッファ状態情報を前記ネットワーク側機器に報告することは、
論理チャネル単位で、該当論理チャネルに対応するＰＤＣＰ層バッファデータ量とＲＬＣ層バッファデータ量の和である各論理チャネルのバッファデータ量を前記ネットワーク側機器に報告すること、
または、
論理チャネル単位で、各論理チャネルのＰＤＣＰ層バッファデータ量およびＲＬＣ層バッファデータ量をそれぞれ前記ネットワーク側機器に報告すること、
または、
パケット複製モードの設定／活性化が行われていないベアラに対応する論理チャネルに対し、論理チャネル単位で、該当論理チャネルのＰＤＣＰ層バッファデータ量とＲＬＣ層バッファデータ量の和である各論理チャネルのバッファデータ量を前記ネットワーク側機器に報告し、パケット複製モードの設定／活性化が行われたベアラに対応する複数の論理チャネルに対し、論理チャネル単位で、各論理チャネルのＰＤＣＰ層バッファデータ量およびＲＬＣ層バッファデータ量をそれぞれ前記ネットワーク側機器に報告することを含む。
【０１９３】
選択可能に、論理チャネル群単位でバッファ状態情報を前記ネットワーク側機器に報告することは、
論理チャネル群単位で、各論理チャネル群のバッファデータ量を前記ネットワーク側機器に報告すること、
ここで、パケット複製モードの設定／活性化が行われた同一ベアラに対応する複数の論理チャネルは、それぞれ、異なる論理チャネル群に属し、
または、
論理チャネル群単位で、各論理チャネル群のバッファデータ量を前記ネットワーク側機器に報告すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【０１９４】
選択可能に、一部の論理チャネルのバッファ状態情報を論理チャネル単位で前記ネットワーク側機器に報告し、ほかの論理チャネルのバッファ状態情報を論理チャネル群単位で前記ネットワーク側機器に報告することは、
パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を、論理チャネル群単位で前記ネットワーク側機器に報告し、かつ、パケット複製モードの設定／活性化が行われたベアラに対応するほかの論理チャネルのバッファ状態情報を、論理チャネル単位で前記ネットワーク側機器に報告すること、
または、
パケット複製モードの設定／活性化が行われていないベアラに対応する論理チャネルのバッファ状態情報を論理チャネル群単位で前記ネットワーク側機器に報告し、かつ、パケット複製モードの設定／活性化が行われたベアラに対応する複数の論理チャネルのバッファ状態情報を、論理チャネル単位で前記ネットワーク側機器に報告することを含む。
【０１９５】
選択可能に、パケット複製モードの設定／活性化が行われたベアラのバッファ状態情報を、第３ＢＳＲ  ＭＡＣ  ＣＥで前記ネットワーク側機器に報告することは、
パケット複製モードの設定／活性化が行われたベアラに対応する複数の論理チャネルのバッファ状態情報を、論理チャネルおよび／または論理チャネル群単位で前記ネットワーク側機器に報告すること、
ここで、パケット複製モードの設定／活性化が行われた同一ベアラに対応する複数の論理チャネルは、それぞれ、異なる論理チャネル群に属し、
を含む。
【０１９６】
選択可能に、論理チャネル群単位でバッファ状態情報を前記ネットワーク側機器に報告する場合、該当論理チャネル群のＰＤＣＰ層バッファデータ量とＲＬＣ層バッファデータ量の和である各論理チャネル群のバッファデータ量を前記ネットワーク側機器に報告し、
または、
論理チャネル群単位でバッファ状態情報を前記ネットワーク側機器に報告する場合、各論理チャネル群のＰＤＣＰ層バッファデータ量およびＲＬＣ層バッファデータ量をそれぞれ前記ネットワーク側機器に報告する。
【０１９７】
選択可能に、論理チャネル単位でバッファ状態情報を前記ネットワーク側機器に報告する場合、該当論理チャネルのＰＤＣＰ層バッファデータ量とＲＬＣ層バッファデータ量の和である各論理チャネルのバッファデータ量を前記ネットワーク側機器に報告し、
または、
論理チャネル単位でバッファ状態情報を前記ネットワーク側機器に報告する場合、各論理チャネルのＰＤＣＰ層バッファデータ量およびＲＬＣ層バッファデータ量をそれぞれ前記ネットワーク側機器に報告する。
【０１９８】
選択可能に、パケット複製モードの設定／活性化が行われた同一ベアラに対応する複数の論理チャネルのうちの各論理チャネルのＲＬＣ層バッファデータ量は、すべて、当該ベアラに対応する複数の論理チャネルのＲＬＣ層データ量の最小値を取る。
【０１９９】
選択可能に、パケット複製モードの設定／活性化が行われた同一ベアラに対応する複数の論理チャネルのうちの１つの論理チャネルのみのバッファデータ量を前記ネットワーク側機器に報告する。
【０２００】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０２０１】
本開示の実施例は、コンピュータによって実行可能な１つまたは複数のプログラムが記憶されているコンピュータ読み取り可能な記憶媒体をさらに提供する。
前記１つまたは複数のプログラムが前記コンピュータによって実行されると、前記コンピュータは、ＵＥから報告されたバッファ状態情報を受信する手順と、
前記バッファ状態情報に基づいて、パケット複製モードの設定／活性化が行われた同一ベアラに対応する複数の論理チャネルのデータを、それぞれ、異なる搬送波で伝送するようにスケジューリングする手順とを実行し、
ここで、パケット複製モードの設定／活性化が行われた同一ベアラに対応する複数の論理チャネルのバッファ状態情報は、それぞれ独自に報告される。
【０２０２】
選択可能に、ＵＥから報告されたバッファ状態情報を受信することは、
前記ＵＥから報告され、前記ＵＥに対応するバッファ状態報告要のすべてのベアラのバッファ状態情報を第１ＢＳＲ  ＭＡＣ  ＣＥで受信すること、
または、
前記ＵＥから報告され、すべてのバッファ状態報告要でかつパケット複製モードの設定／活性化が行われていないベアラのバッファ状態情報を、第２ＢＳＲ  ＭＡＣ  ＣＥで受信し、前記ＵＥから報告され、すべてのバッファ状態報告要でかつパケット複製モードの設定／活性化が行われたベアラのバッファ状態情報を、第３ＢＳＲ  ＭＡＣ  ＣＥで受信することを含む。
【０２０３】
選択可能に、前記ＵＥから報告され、前記ＵＥに対応するバッファ状態報告要のすべてのベアラのバッファ状態情報を第１ＢＳＲ  ＭＡＣ  ＣＥで受信することは、
前記ＵＥから論理チャネル単位で報告されたバッファ状態情報を受信すること、
または、
前記ＵＥから論理チャネル群単位で報告されたバッファ状態情報を受信すること、
または、
前記ＵＥから論理チャネル単位で報告された一部の論理チャネルのバッファ状態情報、および、論理チャネル群単位で報告されたほかの論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０２０４】
選択可能に、前記ＵＥから論理チャネル単位で報告されたバッファ状態情報を受信することは、
前記ＵＥから論理チャネル単位で報告され、該当論理チャネルに対応するＰＤＣＰ層バッファデータ量とＲＬＣ層バッファデータ量の和である各論理チャネルのバッファデータ量を受信すること、
または、
前記ＵＥから論理チャネル単位でそれぞれ報告された各論理チャネルのＰＤＣＰ層バッファデータ量およびＲＬＣ層バッファデータ量を受信すること、
または、
パケット複製モードの設定／活性化が行われていないベアラに対応する論理チャネルに対し、前記ＵＥから論理チャネル単位で報告され、該当論理チャネルのＰＤＣＰ層バッファデータ量とＲＬＣ層バッファデータ量の和である各論理チャネルのバッファデータ量を受信し、パケット複製モードの設定／活性化が行われたベアラに対応する複数の論理チャネルに対し、前記ＵＥから論理チャネル単位で報告された各論理チャネルのＰＤＣＰ層バッファデータ量およびＲＬＣ層バッファデータ量を受信することを含む。
【０２０５】
選択可能に、前記ＵＥから論理チャネル群単位で報告されたバッファ状態情報を受信することは、
前記ＵＥから論理チャネル群単位で報告された各論理チャネル群のバッファデータ量を受信すること、
ここで、パケット複製モードの設定／活性化が行われた同一ベアラに対応する複数の論理チャネルは、それぞれ、異なる論理チャネル群に属し、
または、
前記ＵＥから論理チャネル群単位で報告された各論理チャネル群のバッファデータ量を受信すること、
ここで、パケット複製モードの設定／活性化が行われていないベアラに対応する論理チャネルと、パケット複製モードの設定／活性化が行われたベアラに対応する論理チャネルとは、それぞれ、異なる論理チャネル群に属し、かつ、パケット複製モードの設定／活性化が行われた同一ベアラに対応する異なる論理チャネルは、それぞれ、異なる論理チャネル群に属し、
を含む。
【０２０６】
選択可能に、前記ＵＥから論理チャネル単位で報告された一部の論理チャネルのバッファ状態情報、および、論理チャネル群単位で報告されたほかの論理チャネルのバッファ状態情報を受信することは、
前記ＵＥから論理チャネル群単位で報告され、パケット複製モードの設定／活性化が行われていないベアラに対応する論理チャネル、および、パケット複製モードの設定／活性化が行われたベアラに対応する複数の論理チャネルのうちの１つの論理チャネルのバッファ状態情報を受信し、論理チャネル単位で報告されたパケット複製モードの設定／活性化が行われたベアラに対応するほかの論理チャネルのバッファ状態情報を受信すること、
または、
前記ＵＥから論理チャネル群単位で報告され、パケット複製モードの設定／活性化が行われていないベアラに対応する論理チャネルのバッファ状態情報を受信し、かつ、論理チャネル単位で報告されたパケット複製モードの設定／活性化が行われたベアラに対応する複数の論理チャネルのバッファ状態情報を受信することを含む。
【０２０７】
選択可能に、前記ＵＥから報告され、パケット複製モードの設定／活性化が行われたベアラのバッファ状態情報を、第３ＢＳＲ  ＭＡＣ  ＣＥで受信することは、
前記ＵＥから論理チャネルおよび／または論理チャネル群単位で報告され、パケット複製モードの設定／活性化が行われたベアラに対応する複数の論理チャネルのバッファ状態情報を受信すること、
ここで、パケット複製モードの設定／活性化が行われた同一ベアラに対応する複数の論理チャネルは、それぞれ、異なる論理チャネル群に属し、
を含む。
【０２０８】
選択可能に、前記ＵＥから論理チャネル群単位で報告されたバッファ状態情報を受信する場合、前記ＵＥから報告され、該当論理チャネル群のＰＤＣＰ層バッファデータ量とＲＬＣ層バッファデータ量の和である各論理チャネル群のバッファデータ量を受信し、
または、
前記ＵＥから論理チャネル群単位で報告されたバッファ状態情報を受信する場合、前記ＵＥからそれぞれ報告された各論理チャネル群のＰＤＣＰ層バッファデータ量およびＲＬＣ層バッファデータ量を受信する。
【０２０９】
選択可能に、前記ＵＥから論理チャネル単位で報告されたバッファ状態情報を受信する場合、前記ＵＥから報告され、該当論理チャネルのＰＤＣＰ層バッファデータ量とＲＬＣ層バッファデータ量の和である各論理チャネルのバッファデータ量を受信し、
または、
前記ＵＥから論理チャネル単位で報告されたバッファ状態情報を受信する場合、前記ＵＥからそれぞれ報告された各論理チャネルのＰＤＣＰ層バッファデータ量およびＲＬＣ層バッファデータ量を受信する。
【０２１０】
選択可能に、前記第１ＢＳＲ  ＭＡＣ  ＣＥ、第２ＢＳＲ  ＭＡＣ  ＣＥおよび第３ＢＳＲ  ＭＡＣ  ＣＥに対応するＭＡＣサブヘッダの各々には、ＬＣＩＤおよび／または長さフィールド指示情報が付帯される。
【０２１１】
選択可能に、前記コンピュータは、前記ＵＥに対し論理チャネルと搬送波とのマッピング関係を設定する手順をさらに実行する。
【０２１２】
前記の記憶媒体は、たとえばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０２１３】
本開示の実施例において、開示された方法および装置は、他の方式で実施され得ることを理解されたい。例えば、以上に記載された装置の実施例は、単なる例示である。例えば、前記ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０２１４】
また、本開示の各実施例における各機能的ユニットは、１つの処理ユニットに一体化されていてもよいし、物理的に別々に設けられていてもよいし、２つ以上が一体化されてもよい。上述した一体化ユニットは、ハードウェアの形態で実現されてもよく、ソフトウェア機能ユニットの形態で実現されてもよい。
【０２１５】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２１６】
以上の記載は、本開示の好適な実施形態である。なお、当業者にとって、本開示に記載の原理を逸脱せずに複数の改良や修飾を行うこともでき、これらの改良や修飾も本開示の保護範囲として見なされるべきである。
【図１】
0006870902.tif 000002
【図２】
0006870902.tif 000003
【図３】
0006870902.tif 000004
【図４】
0006870902.tif 000005
【図５】
0006870902.tif 000006
【図６】
0006870902.tif 000007
【図７】
0006870902.tif 000008
【図８】
0006870902.tif 000009
【図９】
0006870902.tif 000010
【図１０】
0006870902.tif 000011
【図１１】
0006870902.tif 000012
【図１２】
0006870902.tif 000013
【図１３】
0006870902.tif 000014
【図１４】
0006870902.tif 000015
【図１５】
0006870902.tif 000016
【図１６】
0006870902.tif 000017
【図１７】
0006870902.tif 000018
【図１８】
0006870902.tif 000019
【図１９】
0006870902.tif 000020
【図２０】
0006870902.tif 000021